(57)【要約】【課題】撓ませる方向により天側又は地側に異なる２種類の画像を表示することができるようにした冊子状紙製品を提供する。【解決手段】表表紙と背表紙と裏表紙とが連接した表紙と、その表紙でくるんだ複数の頁用紙から構成される本文とを備え、前記背表紙が本文の背に接着されており、更に、天側と地側と小口側における本文の端部が面一で揃えられている冊子状紙製品であって、前記本文を構成する複数の頁用紙の全部又は一部であって、連続した頁用紙束を構成する各頁用紙の用紙面には、少なくとも、天側又は地側の端部に沿った端縁領域に、所定の画像の全体の一部を抜き出した抽出画像が表示されており、冊子を撓ませて天側又は地側の端部を斜めに広げた状態で、前記連続した頁用紙束の天側又は地側の端部に前記所定の画像が現れることを特徴とする。【選択図】        図２
2011073203.tif 000002
【特許請求の範囲】
【請求項１】
表表紙と背表紙と裏表紙とが連接した表紙と、その表紙でくるんだ複数の頁用紙から構成される本文とを備え、前記背表紙が本文の背に接着されており、更に、天側と地側と小口側における本文の端縁位置が面一で揃えられている冊子状紙製品であって、
前記本文を構成する複数の頁用紙の全部又は一部であって、連続した頁用紙束を構成する各頁用紙の用紙面には、
少なくとも、天側又は地側の端部に沿った端縁領域に、所定の画像の全体の一部を抜き出した抽出画像が表示されており、
冊子状紙製品を撓ませて天側又は地側の端部を斜めに広げた状態で、前記連続した頁用紙束の天側又は地側の端部に前記所定の画像が現れることを特徴とする冊子状紙製品。
【請求項２】
前記抽出画像は、前記所定の画像に対して、第一の直線と第二の直線で挟まれた領域を抜き出したものであって、前記連続した頁用紙束を構成する各頁用紙の用紙面において表示される各抽出画像の前記第一の直線と第二の直線は、頁用紙ごとにずれていることを特徴とする請求項１に記載の冊子状紙製品。
【請求項３】
前記第一の直線と第二の直線は、等角度Ｃをなす放射線状の直線であって、頁用紙ごとに等角度Ｄづつずれており、角度Ｃは角度Ｄより大きいことを特徴とする請求項２に記載の冊子状紙製品。
【請求項４】
前記連続した頁用紙束を構成する各頁用紙の表側の用紙面においては、天側の端部に沿った天側端縁領域に第一の天側用画像の全体の一部を抜き出した第一の天側用抽出画像が表示されており、
前記連続した頁用紙束を構成する各頁用紙の裏側の用紙面においては、天側の端部に沿った天側端縁領域に第ニの天側用画像の全体の一部を抜き出した第ニの天側用抽出画像が表示されており、
前記第一の天側用画像は、冊子状紙製品を撓ませて、表表紙の天側を裏表紙の天側に傾けて天側の端部を斜めに広げた状態で、前記連続した頁用紙束の天側の端部に現れる画像であって、
前記第ニの天側用画像は、冊子状紙製品を撓ませて、裏表紙の天側を表表紙の天側に傾けて天側の端部を斜めに広げた状態で、前記連続した頁用紙束の天側の端部に現れる画像であることを特徴とする請求項１乃至請求項３のいずれかに記載の冊子状紙製品。
【請求項５】
前記連続した頁用紙束を構成する各頁用紙の表側の用紙面においては、地側の端部に沿った地側端縁領域に第一の地側用画像の全体の一部を抜き出した第一の地側用抽出画像が表示されており、
前記連続した頁用紙束を構成する各頁用紙の裏側の用紙面においては、地側の端部に沿った地側端縁領域に第ニの地側用画像の全体の一部を抜き出した第ニの地側用抽出画像が表示されており、
前記第一の地側用画像は、冊子状紙製品を撓ませて、表表紙の地側を裏表紙の地側に傾けて地側の端部を斜めに広げた状態で、前記連続した頁用紙束の地側の端部に現れる画像であって、
前記第ニの地側用画像は、冊子状紙製品を撓ませて、裏表紙の地側を表表紙の地側に傾けて地側の端部を斜めに広げた状態で、前記連続した頁用紙束の地側の端部に現れる画像であることを特徴とする請求項１乃至請求項３のいずれかに記載の冊子状紙製品。
【請求項６】
前記連続した頁用紙束を構成する各頁用紙の表側の用紙面においては、天側の端部に沿った天側端縁領域に第一の天側用画像の全体の一部を抜き出した第一の天側用抽出画像が表示されており、更に、地側の端部に沿った地側端縁領域に第一の地側用画像の全体の一部を抜き出した第一の地側用抽出画像が表示されており、
前記連続した頁用紙束を構成する各頁用紙の裏側の用紙面においては、天側の端部に沿った天側端縁領域に第ニの天側用画像の全体の一部を抜き出した第ニの天側用抽出画像が表示されており、更に、地側の端部に沿った地側端縁領域に第ニの地側用画像の全体の一部を抜き出した第ニの地側用抽出画像が表示されており、
前記第一の天側用画像は、冊子状紙製品を撓ませて、表表紙の天側を裏表紙の天側に傾けて天側の端部を斜めに広げた状態で、前記連続した頁用紙束の天側の端部に現れる画像であって、
前記第一の地側用画像は、冊子状紙製品を撓ませて、表表紙の地側を裏表紙の地側に傾けて地側の端部を斜めに広げた状態で、前記連続した頁用紙束の地側の端部に現れる画像であって、
前記第ニの天側用画像は、冊子状紙製品を撓ませて、裏表紙の天側を表表紙の天側に傾けて天側の端部を斜めに広げた状態で、前記連続した頁用紙束の天側の端部に現れる画像であって、
前記第ニの地側用画像は、冊子状紙製品を撓ませて、裏表紙の地側を表表紙の地側に傾けて地側の端部を斜めに広げた状態で、前記連続した頁用紙束の地側の端部に現れる画像であることを特徴とする請求項１乃至請求項３のいずれかに記載の冊子状紙製品。
【発明の詳細な説明】
【技術分野】
【０００１】
本発明は、天側或いは地側の端部に写真、絵柄、漫画、イラスト、ロゴ、記号、文字などの画像が表示されているメモ帳、単語帳、漫画、雑誌、週刊誌、パンフレット或いは手帳などの冊子そのもの、或いは冊子構造を備える紙製の玩具、粗品、ノベルティ商品等を包含する冊子状紙製品に関する。
【背景技術】
【０００２】
従来、断裁後の製本の小口側端部にインクジェット等により印刷を行うことは周知である。（例えば、特許文献１、２  参照）
また、所謂辞書（例えば英和辞典等）は、ＡＢＣ・・・Ｚまでの索引が、頁用紙の表面と裏面の小口側端部から内側の領域に所定幅Ａ・所定高さＢの矩形領域に横線等の背景を設け、その背景の中に白抜きを設け、その白抜きの中に所定のアルファベットを設けて、例えば、Ａで始まる単語の頁が２０頁あれば、１０枚の頁用紙の裏表に上記印刷が形成されている。
ここで、辞書のような印刷では、天側或いは地側の端部に絵柄等を表示することは難しい。
【０００３】
これに対して、従来技術のような断裁後の製本の小口側端部への直接の印刷では、断裁された天側の端部或いは地側の端部にも同様にインクジェット等による印字は可能性であるが、頁用紙の表側の用紙面或いは裏側の用紙面において、天側の端部に沿った所定幅の領域（天側端縁領域）或いは地側の端部に沿った所定幅の領域（地側端縁領域）には、上記印字により吹き付けされたインキが滲む形で入り込むことはあっても、所望の写真、絵柄、漫画、イラスト、ロゴ、記号、文字などの画像を再現する印刷面が形成されることはない。
したがって、ハードカバー本のように、物理的に書籍全体を丸めたりできない上製本構造の冊子であるならいざしらず、メモ帳、単語帳、漫画、雑誌、週刊誌、パンフレット或いは手帳（手帳の場合には、皮製や樹脂製の表紙カバーを接着する、或いは表紙カバー内に装填する中身に相当する部分）のようなソフトカバーの並製本構造の冊子そのもの、或いは冊子構造を備える紙製の玩具、粗品、ノベルティ商品等を包含する冊子状紙製品において、手に取った冊子状紙製品が例えば書籍等の捲って内容を読む必要のある冊子の場合は、冊子の背側を摘んで冊子を撓ませて（通常は、内容を読むために、表表紙を外側にして裏表紙を内側にして撓ませるが、頁を戻る場合には、逆に裏表紙を外側にして表表紙を内側にして撓ませることもある）開いて読むものであり、断裁後の製本の天側或いは地側の端部にインクジェット等により、印刷した冊子においては、頁用紙の表側の用紙面或いは裏側の用紙面において、天側の端部に沿った所定幅の領域（天側端縁領域）或いは地側の端部に沿った所定幅の領域（地側端縁領域）には印刷がされていないので、隣接する頁用紙の絵柄の印刷されていない天側端縁領域或いは地側端縁領域の紙の無垢の地色（通常は白色、漫画雑誌や電話帳等では黄・青・緑等の色）が見え、白等の地色で歯抜けになったような締りのない絵柄が表示されることとなり、体裁も悪く、目視した際に何が表示されているのか直ぐに認識しづらいという問題がある。例えば、端部に「Ａ」という文字画像を印字した場合、「Ａ」という文字画像を縦方向に分割した分割画像が隙間無く並んだ状態ではなく、それぞれの分割画像が白等の地色を挟んでバーコード的に並んだ状態となり、この歯抜けのような画像では元の「Ａ」という文字画像を認識できないものである。
【先行技術文献】
【特許文献】
【０００４】
【特許文献１】実開昭５８−３９８７７号公報
【特許文献２】実開昭５９−２１９６６号公報
【発明の概要】
【発明が解決しようとする課題】
【０００５】
そこで、本発明は、天側又は地側の端部に写真、絵柄、漫画、イラスト、ロゴ、記号、文字などの白黒或いはカラー画像が表示されているメモ帳、単語帳、漫画、雑誌、週刊誌、パンフレット或いは手帳のようなソフトカバーの並製本構造の冊子そのもの、或いは冊子構造を備える紙製の玩具、粗品、ノベルティ商品等を包含する冊子状紙製品において、手に取った冊子状紙製品の背側を摘んで冊子状紙製品を撓ませて天側又は地側の端部を斜めに広げた状態にした場合においても、天側又は地側の端部に表示された写真、絵柄、漫画、イラスト、ロゴ、記号、文字などの白黒或いはカラー画像が連続的に一体化した状態で見えるようにして、従来のように、冊子状紙製品を撓ませて天側又は地側の端部を斜めに広げた状態とした場合において、隣接する頁用紙の絵柄の印刷されていない天側端縁領域或いは地側端縁領域の紙の無垢の地色（通常は白色、漫画雑誌や電話帳等では黄・青・緑等の色）が見え、白等の地色で歯抜けになったような締りのない絵柄が表示されることにならないようにすることで、体裁も良く、更に目視した際に何が表示されているのか直ぐに認識しやすくすると共に、撓ませる方向の違いにより、天側又は地側の端部に異なる２種類の画像を表示することができるようにして、読者に画像の変化を楽しませることができるようにした冊子状紙製品を提供する。
【課題を解決するための手段】
【０００６】
本発明の冊子状紙製品は、表表紙と背表紙と裏表紙とが連接した表紙と、その表紙でくるんだ複数の頁用紙から構成される本文とを備え、前記背表紙が本文の背に接着されており、更に、天側と地側と小口側における本文の端縁位置が面一で揃えられている冊子状紙製品であって、前記本文を構成する複数の頁用紙の全部又は一部であって、連続した頁用紙束を構成する各頁用紙の用紙面には、少なくとも、天側又は地側の端部に沿った端縁領域に、所定の画像の全体の一部を抜き出した抽出画像が表示されており、冊子状紙製品を撓ませて天側又は地側の端部を斜めに広げた状態で、前記連続した頁用紙束の天側又は地側の端部に前記所定の画像が現れることを特徴とするものである。
【０００７】
また、本発明の冊子状紙製品は、前記抽出画像は、前記所定の画像に対して、第一の直線と第二の直線で挟まれた領域を抜き出したものであって、前記連続した頁用紙束を構成する各頁用紙の用紙面において表示される各抽出画像の前記第一の直線と第二の直線は、頁用紙ごとにずれていることを特徴とするものである。
【０００８】
更に、本発明の冊子状紙製品は、前記第一の直線と第二の直線は、等角度Ｃをなす放射線状の直線であって、頁用紙ごとに等角度Ｄづつずれており、角度Ｃは角度Ｄより大きいことを特徴とするものである。
【０００９】
更に、本発明の冊子状紙製品は、前記連続した頁用紙束を構成する各頁用紙の表側の用紙面においては、天側の端部に沿った天側端縁領域に第一の天側用画像の全体の一部を抜き出した第一の天側用抽出画像が表示されており、前記連続した頁用紙束を構成する各頁用紙の裏側の用紙面においては、天側の端部に沿った天側端縁領域に第ニの天側用画像の全体の一部を抜き出した第ニの天側用抽出画像が表示されており、前記第一の天側用画像は、冊子状紙製品を撓ませて、表表紙の天側を裏表紙の天側に傾けて天側の端部を斜めに広げた状態で、前記連続した頁用紙束の天側の端部に現れる画像であって、前記第ニの天側用画像は、冊子状紙製品を撓ませて、裏表紙の天側を表表紙の天側に傾けて天側の端部を斜めに広げた状態で、前記連続した頁用紙束の天側の端部に現れる画像であることを特徴とするものである。
【００１０】
更に、本発明の冊子状紙製品は、前記連続した頁用紙束を構成する各頁用紙の表側の用紙面においては、地側の端部に沿った地側端縁領域に第一の地側用画像の全体の一部を抜き出した第一の地側用抽出画像が表示されており、前記連続した頁用紙束を構成する各頁用紙の裏側の用紙面においては、地側の端部に沿った地側端縁領域に第ニの地側用画像の全体の一部を抜き出した第ニの地側用抽出画像が表示されており、前記第一の地側用画像は、冊子状紙製品を撓ませて、表表紙の地側を裏表紙の地側に傾けて地側の端部を斜めに広げた状態で、前記連続した頁用紙束の地側の端部に現れる画像であって、前記第ニの地側用画像は、冊子状紙製品を撓ませて、裏表紙の地側を表表紙の地側に傾けて地側の端部を斜めに広げた状態で、前記連続した頁用紙束の地側の端部に現れる画像であることを特徴とするものである。
【００１１】
更に、本発明の冊子状紙製品は、前記連続した頁用紙束を構成する各頁用紙の表側の用紙面においては、天側の端部に沿った天側端縁領域に第一の天側用画像の全体の一部を抜き出した第一の天側用抽出画像が表示されており、更に、地側の端部に沿った地側端縁領域に第一の地側用画像の全体の一部を抜き出した第一の地側用抽出画像が表示されており、前記連続した頁用紙束を構成する各頁用紙の裏側の用紙面においては、天側の端部に沿った天側端縁領域に第ニの天側用画像の全体の一部を抜き出した第ニの天側用抽出画像が表示されており、更に、地側の端部に沿った地側端縁領域に第ニの地側用画像の全体の一部を抜き出した第ニの地側用抽出画像が表示されており、前記第一の天側用画像は、冊子状紙製品を撓ませて、表表紙の天側を裏表紙の天側に傾けて天側の端部を斜めに広げた状態で、前記連続した頁用紙束の天側の端部に現れる画像であって、前記第一の地側用画像は、冊子状紙製品を撓ませて、表表紙の地側を裏表紙の地側に傾けて地側の端部を斜めに広げた状態で、前記連続した頁用紙束の地側の端部に現れる画像であって、前記第ニの天側用画像は、冊子状紙製品を撓ませて、裏表紙の天側を表表紙の天側に傾けて天側の端部を斜めに広げた状態で、前記連続した頁用紙束の天側の端部に現れる画像であって、前記第ニの地側用画像は、冊子状紙製品を撓ませて、裏表紙の地側を表表紙の地側に傾けて地側の端部を斜めに広げた状態で、前記連続した頁用紙束の地側の端部に現れる画像であることを特徴とするものである。
【発明の効果】
【００１２】
したがって、本発明の冊子状紙製品は、連続した頁用紙束を構成する各頁用紙の用紙面には、少なくとも天側又は地側の端部に沿った端縁領域に、所定の画像の一部を抜き出した抽出画像が表示されているので、手に取った冊子状紙製品の背側を摘んで冊子状紙製品を撓ませて天側又は地側の端部を斜めに広げた状態にした場合においても、隣接する頁用紙の天側又は地側の端部に沿った端縁領域に表示された抽出画像が見えるので、白等の地色で歯抜けになったような締りのない絵柄等の所定の画像が再現され表示されることにはならず、体裁も良く、更に目視した際に何が表示されているのか直ぐに認識しやすい。
【００１３】
更に、本発明の冊子状紙製品は、前記抽出画像は、前記所定の画像に対して、第一の直線と第二の直線で挟まれた領域を抜き出したものであって、前記連続した頁用紙束を構成する各頁用紙の用紙面において表示される各抽出画像の前記第一の直線と第二の直線は、頁用紙ごとにずれているので、手に取った冊子状紙製品の背側を摘んで冊子状紙製品を撓ませて天側又は地側の端部を斜めに広げた状態にした場合の頁用紙ごとのずれが、第一の直線と第二の直線のずれと一致すれば完全な所定の画像が再現できる。
【００１４】
更に、本発明の冊子状紙製品は、前記第一の直線と第二の直線は、等角度Ｃをなす放射線状の直線であって、頁用紙ごとに等角度Ｄづつずれており、角度Ｃは角度Ｄより大きいので、手に取った冊子状紙製品の背側を摘んで冊子状紙製品を撓ませて天側又は地側の端部を斜めに広げた状態にした場合の頁用紙ごとのずれが等角度Ｘと仮定し、この等角度Ｘと等角度Ｄ（第一の直線と第二の直線のずれ）が一致すれば完全な所定の画像が再現でき、この等角度Ｘが等角度Ｄ（第一の直線と第二の直線のずれ）より小さくすれば完全な所定の画像を縮めた画像として再現でき、この等角度Ｘが等角度Ｄ（第一の直線と第二の直線のずれ）より大きくすれば完全な所定の画像を膨らませた画像として再現できる。
【００１５】
更に、本発明の冊子状紙製品は、前記連続した頁用紙束を構成する各頁用紙の表側の用紙面においては、天側の端部に沿った天側端縁領域に第一の天側用画像の全体の一部を抜き出した第一の天側用抽出画像が表示されており、前記連続した頁用紙束を構成する各頁用紙の裏側の用紙面においては、天側の端部に沿った天側端縁領域に第ニの天側用画像の全体の一部を抜き出した第ニの天側用抽出画像が表示されていることで、冊子状紙製品の天側の撓ませる方向を変化させることで天側に２種類の画像（第一の天側用画像・第二の天側用画像）を切り替えて表示させることができ、読者に画像の変化を楽しませることができるという効果がある。
【００１６】
更に、本発明の冊子状紙製品は、前記連続した頁用紙束を構成する各頁用紙の表側の用紙面においては、地側の端部に沿った地側端縁領域に第一の地側用画像の全体の一部を抜き出した第一の地側用抽出画像が表示されており、前記連続した頁用紙束を構成する各頁用紙の裏側の用紙面においては、地側の端部に沿った地側端縁領域に第ニの地側用画像の全体の一部を抜き出した第ニの地側用抽出画像が表示されていることで、冊子状紙製品の地側の撓ませる方向を変化させることで地側に２種類の画像（第一の地側用画像・第二の地側用画像）を切り替えて表示させることができ、読者に画像の変化を楽しませることができるという効果がある。
【００１７】
更に、本発明の冊子状紙製品は、前記連続した頁用紙束を構成する各頁用紙の表側の用紙面においては、天側の端部に沿った天側端縁領域に第一の天側用画像の全体の一部を抜き出した第一の天側用抽出画像が表示されており、更に、地側の端部に沿った地側端縁領域に第一の地側用画像の全体の一部を抜き出した第一の地側用抽出画像が表示されており、前記連続した頁用紙束を構成する各頁用紙の裏側の用紙面においては、天側の端部に沿った天側端縁領域に第ニの天側用画像の全体の一部を抜き出した第ニの天側用抽出画像が表示されており、更に、地側の端部に沿った地側端縁領域に第ニの地側用画像の全体の一部を抜き出した第ニの地側用抽出画像が表示されていることで、冊子状紙製品の天側及び地側の撓ませる方向を変化させることで天側及び地側に合計４種類の画像（第一の天側用画像・第二の天側用画像・第一の地側用画像・第二の地側用画像）を切り替えて表示させることができ、読者に画像の変化を楽しませることができるという効果がある。
【図面の簡単な説明】
【００１８】
【図１】本発明の実施形態に係る冊子状紙製品の斜視図である。
【図２】本発明の実施形態に係る冊子状紙製品を少しだけ一方方向に撓ませた状態を示す斜視図である。
【図３】本発明の実施形態に係る冊子状紙製品を、図２に示す状態よりも大きく一方方向に撓ませた状態を示す斜視図である。
【図４】本発明の実施形態に係る冊子状紙製品を、図３に示す状態とは逆方向に大きく撓ませた状態を示す斜視図である。
【図５】本発明の実施形態に係る冊子状紙製品において、頁用紙の表側の用紙面の天側端縁領域に表示する第一の天側用画像の全体図を示す図。
【図６】本発明の実施形態に係る冊子状紙製品において、頁用紙の裏側の用紙面の天側端縁領域に表示する第二の天側用画像の全体図を示す図。
【図７】本発明の実施形態に係る冊子状紙製品において、頁用紙の表側の用紙面であって、（ａ）は、第一の天側用画像の全体から抜き出した第一の天側抽出画像が最初に表示されている頁用紙の表側の用紙面を示す平面図、（ｂ）は、（ａ）に示す頁の下側に重ねられている次の頁用紙の表側の用紙面を示す平面図。
【図８】本発明の実施形態に係る冊子状紙製品において、頁用紙の表側の用紙面であって、（ａ）は、第一の天側用画像の全体から抜き出した第一の天側抽出画像が最後に表示されている頁用紙の表側の用紙面を示す平面図、（ｂ）は、（ａ）に示す頁の上側に重ねられている手前の頁用紙の表側の用紙面を示す平面図。
【図９】本発明の実施形態に係る冊子状紙製品において、頁用紙の裏側の用紙面であって、（ａ）は、第二の天側用画像の全体から抜き出した第二の天側抽出画像が最初に表示されている頁用紙の裏側の用紙面を示す平面図、（ｂ）は、（ａ）に示す頁の下側に重ねられている次の頁用紙の裏側の用紙面を示す平面図。
【図１０】本発明の実施形態に係る冊子状紙製品において、頁用紙の裏側の用紙面であって、（ａ）は、第二の天側用画像の全体から抜き出した第二の天側抽出画像が最後に表示されている頁用紙の裏側の用紙面を示す平面図、（ｂ）は、（ａ）に示す頁の上側に重ねられている手前の頁用紙の裏側の用紙面を示す平面図。
【図１１】本発明の実施形態に係る冊子状紙製品を製造する工程において、無線綴製本工程に供される印刷済み断裁前の頁用紙であって、（ａ）は、第一の天側用画像の全体から抜き出した第一の天側抽出画像が最初に表示されている頁用紙の表側の用紙面を示す平面図、（ｂ）は、（ａ）に示す頁と同じ頁用紙の裏側の用紙面を示す平面図。
【図１２】本発明の実施形態に係る冊子状紙製品を製造する工程において、無線綴製本工程に供される印刷済み断裁前の頁用紙であって、（ａ）は、第一の天側用画像の全体から抜き出した第一の天側抽出画像が最初から２番目に表示されている頁用紙の表側の用紙面を示す平面図であり、（ｂ）は、（ａ）に示す頁と同じ頁用紙の裏側の用紙面を示す平面図。
【図１３】本発明の実施形態に係る冊子状紙製品を製造する工程において、無線綴製本工程に供される印刷済み断裁前の頁用紙であって、（ａ）は、第一の天側用画像の全体から抜き出した第一の天側抽出画像が最後に表示されている頁用紙の表側の用紙面を示す平面図、（ｂ）は、（ａ）に示す頁と同じ頁用紙の裏側の用紙面を示す平面図。
【図１４】本発明の実施形態に係る冊子状紙製品を製造する工程において、無線綴製本工程に供される印刷済み断裁前の頁用紙であって、（ａ）は、第一の天側用画像の全体から抜き出した第一の天側抽出画像が最後から２番目に表示されている頁用紙の表側の用紙面を示す平面図であり、（ｂ）は、（ａ）に示す頁と同じ頁用紙の裏側の用紙面を示す平面図。
【図１５】本発明の他の実施形態に係る冊子状紙製品を、大きく一方方向に撓ませた状態を示す斜視図である。
【図１６】本発明の他の実施形態に係る冊子状紙製品を、図１５に示す状態とは逆方向に大きく撓ませた状態を示す斜視図である。
【図１７】本発明の他の実施形態に係る冊子状紙製品において、頁用紙の表側の用紙面の地側端縁領域に表示する第一の地側用画像の全体図を示す図。
【図１８】本発明の他の実施形態に係る冊子状紙製品において、頁用紙の裏側の用紙面の地側端縁領域に表示する第二の地側用画像の全体図を示す図。
【発明を実施するための形態】
【００１９】
以下、本発明の実施形態に係る冊子状紙製品１を図面に基づいて詳細に説明する。
図１に示すように、本発明の実施形態に係る冊子状紙製品１は、表表紙５と背表紙６と裏表紙７とが連接した表紙と、その表紙でくるんだ複数の頁用紙８から構成される本文とを備え、背表紙６の内側が対向する本文の背部分にホットメルト接着剤にて接着されており、更に、天側と地側と小口側における本文の端縁位置が、この実施形態では、更に、表表紙５と裏表紙７の端縁位置と一緒に、製本の最終工程である三方断裁工程において面一に切り揃えられることにより、天側と地側と小口側における断裁面が形成され、その結果、表表紙５と本文と裏表紙７からなる面一の天側の端部２、地側の端部３、小口側の端部４を備える無線綴形態の冊子構造となっている。
ここで、図１に示す冊子状紙製品１の天側の端部２には、一例として「三重の杉の木」を示す絵柄の第一の天側用画像２ａが隠れている。
この絵柄の第一の天側用画像２ａを隠れていると表現したのは、この第一の天側用画像２ａを天側の端部２に直にインクジェット等により印刷していないことに由来しており、理論的には頁用紙８の用紙面が見えなければ、この頁用紙８の用紙面に印刷された第一の天側用画像２ａも見えないとの理屈から隠れているとし、敢えて図面にも描写していない。しかし、実際には、この頁用紙８の用紙面に第一の天側用画像２ａを印刷すると、インクの頁用紙８への滲み、頁用紙８の厚み、三方断裁の際に生じるずれ等により冊子状紙製品１の表表紙５の方向から天側の端部２を見た場合には、薄っすらと、或いは認識出来る程度に明瞭に第一の天側用画像２ａが見える場合もある。
また、この冊子状紙製品１は、図２に示すように、冊子状紙製品１を撓ませて、表表紙５の天側を裏表紙７の天側に傾けて天側の端部２を斜めに広げた状態とした場合にあっては、冊子状紙製品１の天側の端部２に第一の天側用画像２ａが明瞭に現れる。
更に、図３には、図２に示す状態よりも、更に冊子状紙製品１を撓ませて、表表紙５の天側を裏表紙７の天側に傾けて天側の端部２を斜めにより広げた状態とした場合にあっては、冊子状紙製品１の天側の端部２に表示されている第一の天側用画像２ａが、図２に示す状態よりも、更に幅方向に広がった状態で明瞭に現れる。
なお、図２と図３の第一の天側用画像２ａを比較すれば明らかであるが、第一の天側用画像２ａの背側に近い部分は幅方向の広がりが乏しいのに対し、第一の天側用画像２ａのの小口側に近い部分は広がりが顕著になっている。これは、冊子状紙製品１の背側がホットメルト接着剤で固められており幅方向に広がる余地が乏しいのに対し、冊子状紙製品１の小口側は開放された遊端状態にあるので幅方向に広がる余地が十分にあることによる。
【００２０】
上記のように、本発明の実施形態に係る冊子状印刷物１は、冊子状紙製品１を徐々に撓ませて、表表紙５の天側を裏表紙７の天側に傾けて天側の端部２を斜めに広げていくことで、冊子状紙製品１の天側の端部２に表示されている第一の天側用画像２ａも、徐々に横幅方向に広がり、大きく見やすく現れるように構成されている。
そして冊子状紙製品１の厚み、枚数、紙の種類、縦横幅のサイズ等の条件により異なるが、冊子状紙製品１を限界まで撓ませて、表表紙５の天側を裏表紙７の天側に傾けて天側の端部２を斜めに最大限に広げた場合でも、冊子状紙製品１の天側の端部２に表示されている第一の天側用画像２ａが切れ目なく連続的に現れるように構成されている。
【００２１】
また、本発明の実施形態に係る冊子状紙製品１は、図２〜図３に示したのとは反対方向に冊子状紙製品１を撓ませた場合、つまり、図４に示すように、冊子状紙製品１を撓ませて、裏表紙７の天側を表表紙５の天側に傾けて天側の端部２を斜めに広げた状態とした場合にあっては、冊子状紙製品１の天側の端部２に第二の天側用画像２ｂが明瞭に現れる。
図４に示す場合では、第一の天側用画像２ａとは異なる絵柄である第二の天側用画像２ｂとして、「二重の松の木」が、その一例として描写されている。
尚、第一の天側用画像２ａと第二の天側用画像２ｂは、異なる絵柄の画像であればどのような内容の絵柄であってもよく、冊子状紙製品１の製作者側で任意に選択して用いればよく、上記の実施形態で用いた絵柄に限定されるものではない。
また、第一の天側用画像２ａと第二の天側用画像２ｂとして、例えば、同じ「三重の杉の木」を採用すれば、冊子状紙製品１を撓ませる方向に関係なく、常に天側の端部２に「三重の杉の木」を現すことが可能である。
【００２２】
次に、本発明の実施形態に係る冊子状紙製品１について、冊子状紙製品１を撓ませた場合に、どのようなメカニズムで、冊子１の天側の端部２に第一の天側用画像２ａまたは第二の天側用画像２ｂが現れるのかについて、以下に具体的に説明する。
まず、図５及び図６に示すように、最初に２種類の異なる絵柄の画像として、「三重の杉の木」を現す絵柄の画像と「ニ重の松の木」を現す絵柄の画像を用意する。
ここで、断っておくが、これらの画像は、図５及び図６に太枠の実線で示す矩形領域の一部のみを構成するように描写されているが、これは、図面の作成を簡略化する都合によるものに過ぎない。具体的には、これらの画像の周囲の白地部分には全く何も設けない訳ではなく、これらの木の生えている土地の風景等が描写されており周囲の風景と木との組み合わせで一つの画像を構成するものであって構わない。
図５に示す「三重の杉の木」の絵柄の画像は、前述した第一の天側用画像２ａであると同時に第一の天側用画像の全体図ＸＡとも表現するが、ここでは、第一の天側用画像の全体図ＸＡで統一して使用する。
第一の天側用画像の全体図ＸＡは、表表紙５と背表紙６と裏表紙７とが連接した表紙でくるんだ複数の頁用紙８から構成される本文において、この本文を構成する複数の頁用紙８（仮に５０枚とする）の一部（仮に３０枚とする）である連続した頁用紙束（表表紙５側の１０枚と裏表紙７側の１０枚を除いた残りの内側の３０枚）を構成する各頁用紙８の表側の用紙面（表表紙５に対向する頁用紙の用紙面）に表示させる第一の天側用抽出画像ＸＡ１、ＸＡ２〜ＸＡ２９、ＸＡ３０を抜き出す元となる全体パターンである。
ここで、断っておくが、第一の天側用画像２ａと第一の天側用画像の全体図ＸＡは、いずれも「三重の杉の木」の絵柄の画像を表現するものであるが、冊子状紙製品１を撓ませた程度に応じて目視できる「三重の杉の木」の絵柄が変化するのに対し、頁用紙に印刷する「三重の杉の木」の絵柄自体には変化がないので、目視できる「三重の杉の木」の絵柄の画像を第一の天側用画像２ａと称し、頁用紙に印刷する「三重の杉の木」の絵柄の画像を第一の天側用画像の全体図ＸＡと称するものである。
【００２３】
図６に示す「二重の松の木」の絵柄の画像は、前述した第二の天側用画像２ｂであると同時に第二の天側用画像の全体図ＹＡとも表現するが、ここでは、第二の天側用画像の全体図ＹＡで統一して使用する。
第二の天側用画像の全体図ＹＡは、表表紙５と背表紙６と裏表紙７とが連接した表紙でくるんだ複数の頁用紙８から構成される本文において、この本文を構成する複数の頁用紙８（仮に５０枚とする）の一部（仮に３０枚とする）である連続した頁用紙束（表表紙５側の１０枚と裏表紙７側の１０枚を除いた残りの内側の３０枚）を構成する各頁用紙８の裏側の用紙面（裏表紙７に対向する頁用紙の用紙面）に表示させる第二の天側用抽出画像ＹＡ１、ＹＡ２〜ＹＡ２９、ＹＡ３０を抜き出す元となる全体パターンである。
ここで、断っておくが、第二の天側用画像２ｂと第ニの天側用画像の全体図ＹＡは、いずれも「ニ重の松の木」の絵柄の画像を表現するものであるが、冊子状紙製品１を撓ませた程度に応じて目視できる「ニ重の松の木」の絵柄が変化するのに対し、頁用紙に印刷する「ニ重の松の木」の絵柄自体には変化がないので、目視できる「ニ重の松の木」の絵柄の画像を第ニの天側用画像２ｂと称し、頁用紙に印刷する「ニ重の松の木」の絵柄の画像を第ニの天側用画像の全体図ＹＡと称するものである。
なお、ここでは、本文を構成する複数の頁用紙６の一部である連続した頁用紙束を構成する各頁用紙の表側或いは裏裏の用紙面にそれぞれ２つの画像を表示する仕様で説明したが、例えば、本文を構成する複数の頁用紙６が仮に３０枚で画像を表示するのに必要な頁用紙６が仮に３０枚とした場合には、本文を構成する複数の頁用紙の全部を用いて画像を表示する仕様を採用しても構わない。
【００２４】
そして、図５に示す第一の天側用画像の全体図ＸＡに対して、予め設定した放射線状の第一の直線ＲＡ１と、放射線状の第一の直線ＲＡ１と時計方向に等角度Ｃ（１０度）をなす放射線状の第ニの直線ＲＺ１で挟まれた領域を抜き出して、１番目（最初）の第一の天側用抽出画像ＸＡ１とする。
ここで、図５に示す放射線状の第一の直線ＲＡ１と第ニの直線ＲＺ１で挟まれた領域は、実線の太枠の上辺と下辺と第一の直線ＲＡ１と第ニの直線ＲＺ１で囲われた部分であり、厳密に言えばの細長い台形状の領域と表現すべきであるが、等角度Ｃ、等角度Ｄ等の角度を説明する都合上、ここでは扇形状の領域として説明する。
先ず、図５に示す、第一の直線ＲＡ１から第二の直線ＲＺ１で挟まれた扇形状の領域を１番目（最初）の第一の天側用抽出画像ＸＡ１とし、第一の直線ＲＡ２から第二の直線ＲＺ２で挟まれた扇形状の領域を２番目の第一の天側用抽出画像ＸＡ２とし、途中省略し、第一の直線ＲＡ２９から第二の直線ＲＺ２９で挟まれた扇形状の領域を２９番目の第一の天側用抽出画像ＸＡ２９とし、第一の直線ＲＡ３０から第二の直線ＲＺ３０で挟まれた扇形状の領域を３０番目（最後）の第一の天側用抽出画像ＸＡ３０としているが、それぞれの扇形状の領域（ＸＡ１、ＸＡ２〜ＸＡ２９、ＸＡ３０）の中心角を全て１０度としており、等角度Ｃとして表現している。
次に、隣接する２本の第一の直線、ここでは、第一の直線ＲＡ１と第一の直線ＲＡ２で挟まれた扇形状の領域、第一の直線ＲＡ２と第一の直線ＲＡ３（図示せず）で挟まれた扇形状の領域、途中省略し、第一の直線ＲＡ２９と第一の直線ＲＡ３０で挟まれた扇形状の領域については、それぞれの扇形状の領域の中心角を全て１度としており、等角度Ｄとして表現している。
なお、隣接する２本の第ニの直線、ここでは、第ニの直線ＲＺ１と第ニの直線ＲＺ２で挟まれた扇形状の領域、第ニの直線ＲＺ２と第ニの直線ＲＺ３（図示せず）で挟まれた扇形状の領域、途中省略し、第ニの直線ＲＺ２９と第ニの直線ＲＺ３０で挟まれた扇形状の領域についても、等角度Ｃ（１０度）と等角度Ｄ（１度）の関係で、それぞれの扇形状の領域の中心角を全て１度となる。
図５の等角度Ｄ（１度）は、第一の天側用画像の全体図ＸＡに対して、第一の天側用抽出画像を抜き出すための放射線状の２本の直線を設定した場合、第一の天側用抽出画像を抜き出すための放射線状の２本の直線がシフトしていく（ずれていく）量を角度として表現したものである。具体的には、第一の天側用画像の全体図ＸＡに対して、第一の天側用抽出画像を抜き出すための放射線状の２本の直線を設定し、第一の直線ＲＡ１と第二の直線ＲＺ１の組み合わせによる１番目（最初）の第一の天側用抽出画像ＸＡ１の抜き出し、第一の直線ＲＡ２と第二の直線ＲＺ２の組み合わせによる２番目の第一の天側用抽出画像ＸＡ２の抜き出し、途中省略し、第一の直線ＲＡ２９と第二の直線ＲＺ２９の組み合わせによる２９番目の第一の天側用抽出画像ＸＡ２９の抜き出し、第一の直線ＲＡ３０と第二の直線ＲＺ３０の組み合わせによる３０番目（最後）の第一の天側用抽出画像ＸＡ３０の抜き出しを想定しているので、第一の天側用画像の全体図ＸＡを固定し、第一の天側用抽出画像を抜き出すための放射線状の２本の直線を等角度Ｄ（１度）づつ、ずらしていると表現したが、第一の天側用抽出画像を抜き出すための放射線状の２本の直線を固定し、第一の天側用画像の全体図ＸＡを等角度Ｄ（１度）づつ、ずらしていると表現することも可能である。
なお、最初の第一の直線ＲＡ１から最後の第二の直線ＲＺ３０で挟まれた扇形状の領域の中心角を３０度とする。
以上、図５においては、最初の第一の直線ＲＡ１から最後の第二の直線ＲＺ３０で挟まれた扇形状の領域の中心角を３０度とし、等角度Ｃを１０度、等角度Ｄを１度とした上で、最初の第一の直線ＲＡ１を０度で時計方向をプラス、反時計方向をマイナスとする絶対座標を仮定する。
【００２５】
そして、図６に示す第ニの天側用画像の全体図ＹＡに対しても基本的に図５と同様であるが、説明すると、予め設定した放射線状の第一の直線ＲＡ１と、放射線状の第一の直線ＲＡ１と反時計方向に等角度Ｃ（１０度）をなす放射線状の第ニの直線ＲＺ１で挟まれた領域を抜き出して、１番目（最初）の第ニの天側用抽出画像ＹＡ１とする。
ここで、図６に示す放射線状の第一の直線ＲＡ１と第ニの直線ＲＺ１で挟まれた領域は、実線の太枠の上辺と下辺と第一の直線ＲＡ１と第ニの直線ＲＺ１で囲われた部分であり、厳密に言えばの細長い台形状の領域と表現すべきであるが、等角度Ｃ、等角度Ｄ等の角度を説明する都合上、ここでは扇形状の領域として説明する。
先ず、図６に示す、第一の直線ＲＡ１から第二の直線ＲＺ１で挟まれた扇形状の領域を１番目（最初）の第ニの天側用抽出画像ＹＡ１とし、第一の直線ＲＡ２から第二の直線ＲＺ２で挟まれた扇形状の領域を２番目の第ニの天側用抽出画像ＹＡ２とし、途中省略し、第一の直線ＲＡ２９から第二の直線ＲＺ２９で挟まれた扇形状の領域を２９番目の第ニの天側用抽出画像ＹＡ２９とし、第一の直線ＲＡ３０から第二の直線ＲＺ３０で挟まれた扇形状の領域を３０番目（最後）の第ニの天側用抽出画像ＹＡ３０としているが、それぞれの扇形状の領域（ＹＡ１、ＹＡ２〜ＹＡ２９、ＹＡ３０）の中心角を全て１０度としており、等角度Ｃとして表現している。
次に、隣接する２本の第一の直線、ここでは、第一の直線ＲＡ１と第一の直線ＲＡ２で挟まれた扇形状の領域、第一の直線ＲＡ２と第一の直線ＲＡ３（図示せず）で挟まれた扇形状の領域、途中省略し、第一の直線ＲＡ２９と第一の直線ＲＡ３０で挟まれた扇形状の領域については、それぞれの扇形状の領域の中心角を全て１度としており、等角度Ｄとして表現している。
なお、隣接する２本の第ニの直線、ここでは、第ニの直線ＲＺ１と第ニの直線ＲＺ２で挟まれた扇形状の領域、第ニの直線ＲＺ２と第ニの直線ＲＺ３（図示せず）で挟まれた扇形状の領域、途中省略し、第ニの直線ＲＺ２９と第ニの直線ＲＺ３０で挟まれた扇形状の領域についても、等角度Ｃ（１０度）と等角度Ｄ（１度）の関係で、それぞれの扇形状の領域の中心角を全て１度となる。
図６の等角度Ｄ（１度）は、第ニの天側用画像の全体図ＹＡに対して、第ニの天側用抽出画像を抜き出すための放射線状の２本の直線を設定した場合、第ニの天側用抽出画像を抜き出すための放射線状の２本の直線がシフトしていく（ずれていく）量を角度として表現したものである。具体的には、第ニの天側用画像の全体図ＹＡに対して、第ニの天側用抽出画像を抜き出すための放射線状の２本の直線を設定し、第一の直線ＲＡ１と第二の直線ＲＺ１の組み合わせによる１番目（最初）の第ニの天側用抽出画像ＹＡ１の抜き出し、第一の直線ＲＡ２と第二の直線ＲＺ２の組み合わせによる２番目の第ニの天側用抽出画像ＹＡ２の抜き出し、途中省略し、第一の直線ＲＡ２９と第二の直線ＲＺ２９の組み合わせによる２９番目の第ニの天側用抽出画像ＹＡ２９の抜き出し、第一の直線ＲＡ３０と第二の直線ＲＺ３０の組み合わせによる３０番目（最後）の第ニの天側用抽出画像ＹＡ３０の抜き出しを想定しているので、第ニの天側用画像の全体図ＹＡを固定し、第ニの天側用抽出画像を抜き出すための放射線状の２本の直線を等角度Ｄ（１度）づつ、ずらしていると表現したが、第ニの天側用抽出画像を抜き出すための放射線状の２本の直線を固定し、第ニの天側用画像の全体図ＹＡを等角度Ｄ（１度）づつ、ずらしていると表現することも可能である。
なお、最初の第一の直線ＲＡ１から最後の第二の直線ＲＺ３０で挟まれた扇形状の領域の中心角を３０度とし、図６における最後の第二の直線ＲＺ３０は図５における最初の第一の直線ＲＡ１と一致するものとする。
以上、図６においては、最初の第一の直線ＲＡ１から最後の第二の直線ＲＺ３０で挟まれた扇形状の領域の中心角を３０度とし、等角度Ｃを１０度、等角度Ｄを１度とした上で、最後の第二の直線ＲＺ３０（図５における最初の第一の直線ＲＡ１）を０度で時計方向をプラス、反時計方向をマイナスとする絶対座標を仮定する。
【００２６】
上記のように、最初の第一の直線ＲＡ１から最後の第二の直線ＲＺ３０で挟まれた扇形状の領域の中心角を３０度とし、等角度Ｃを１０度、等角度Ｄを１度とした上で、図５における最初の第一の直線ＲＡ１及びこれと一致する図６における最後の第二の直線ＲＺ３０を０度で、時計方向をプラス、反時計方向をマイナスとする絶対座標を仮定した場合、第一の天側用画像の全体図ＸＡに対して絶対座標０度からプラス１０度までの扇形状の領域を抜き出したものが１番目（最初）の第一の天側用抽出画像ＸＡ１であり、絶対座標プラス１度からプラス１１度までの扇形状の領域を抜き出したものが２番目の第一の天側用抽出画像ＸＡ２であり、途中省略して、絶対座標プラス１９度からプラス２９度までの扇形状の領域を抜き出したものが２９番目の第一の天側用抽出画像ＸＡ２９であり、絶対座標プラス２０度からプラス３０度までの扇形状の領域を抜き出したものが３０番目（最後）の第一の天側用抽出画像ＸＡ３０であり、第ニの天側用画像の全体図ＹＡに対して絶対座標プラス３０度からプラス２０度までの扇形状の領域を抜き出したものが１番目（最初）の第ニの天側用抽出画像ＹＡ１となり、絶対座標プラス２９度からプラス１９度までの扇形状の領域を抜き出したものが２番目の第ニの天側用抽出画像ＹＡ２となり、絶対座標プラス１１度からプラス１度までの扇形状の領域を抜き出したものが２９番目の第ニの天側用抽出画像ＹＡ２９となり、絶対座標プラス１０度から０度までの扇形状の領域を抜き出したものが３０番目（最後）の第ニの天側用抽出画像ＹＡ３０となる。
【００２７】
ここで抽出された１番目（最初）の第一の天側用抽出画像ＸＡ１は図８（ａ）に示すように表表紙５側から順々に頁用紙８を捲っていった場合に第一の天側用抽出画像が最後に表示されている頁用紙８の表側の用紙面の天側端縁領域８ａに表示される画像となり、２番目の第一の天側用抽出画像ＸＡ２は図８（ｂ）に示すように図８（ａ）に示す頁の上側に重ねられている手前の頁用紙８の表側の用紙面の天側端縁領域８ａに表示される画像となり、３０番目（最後）の第一の天側用抽出画像ＸＡ３０は図７（ａ）に示すように表表紙５側から順々に頁用紙８を捲っていった場合に第一の天側用抽出画像が最初に表示されている頁用紙８の表側の用紙面の天側端縁領域８ａに表示される画像となり、２９番目の第一の天側用抽出画像ＸＡ２９は図７（ｂ）に示すように図７（ａ）に示す頁の下側に重ねられている次の頁用紙８の表側の用紙面の天側端縁領域８ａに表示される画像となる。
また、抽出された１番目（最初）の第ニの天側用抽出画像ＹＡ１は図９（ａ）に示すように表表紙５側から順々に頁用紙８を捲っていった場合に第ニの天側用抽出画像が最初に表示されている頁用紙８の裏側の用紙面の天側端縁領域８ｃに表示される画像となり、２番目の第ニの天側用抽出画像ＹＡ２は図９（ｂ）に示すように図９（ａ）に示す頁の下側に重ねられている次の頁用紙８の裏側の用紙面の天側端縁領域８ｃに表示される画像となり、３０番目（最後）の第ニの天側用抽出画像ＹＡ３０は図１０（ａ）に示すように表表紙５側から順々に頁用紙８を捲っていった場合に第ニの天側用抽出画像が最後に表示されている頁用紙８の裏側の用紙面の天側端縁領域８ｃに表示される画像となり、２９番目の第ニの天側用抽出画像ＹＡ２９は図１０（ｂ）に示すように図１０（ａ）に示す頁の上側に重ねられている手前の頁用紙８の裏側の用紙面の天側端縁領域８ｃに表示される画像となる。
【００２８】
上記したように、第一の天側用抽出画像（ＸＡ１、ＸＡ２、〜ＸＡ２９、ＸＡ３０）を抜き出した順に対比すれば、扇形状の領域の両端（２本の直線に沿う領域）が異なるが、それ以外の領域は一致することとなる。
例えば、最初の第一の直線ＲＡ１から最後の第二の直線ＲＺ３０で挟まれた扇形状の領域の中心角を３０度とし、等角度Ｃを１０度、等角度Ｄを１度とした上で、図５における最初の第一の直線ＲＡ１及びこれと一致する図６における最後の第二の直線ＲＺ３０を０度で、時計方向をプラス、反時計方向をマイナスとする絶対座標を仮定した場合、第一の天側用画像の全体図ＸＡに対して絶対座標０度からプラス１０度までの扇形状の領域を抜き出したものが１番目（最初）の第一の天側用抽出画像ＸＡ１であり、絶対座標プラス１度からプラス１１度までの扇形状の領域を抜き出したものが２番目の第一の天側用抽出画像ＸＡ２であるので、第一の天側用抽出画像ＸＡ１と第一の天側用抽出画像ＸＡ２を対比すれば、第一の天側用抽出画像ＸＡ１の絶対座標０度からプラス１度までの微小な扇形状の領域は第ニの天側用抽出画像ＸＡ２には存在せず、第一の天側用抽出画像ＸＡ２の絶対座標１０度からプラス１１度までの微小な扇形状の領域は第一の天側用抽出画像ＸＡ１には存在しないが、第一の天側用抽出画像ＸＡ１の絶対座標１度からプラス１０度までの扇形状の領域は第ニの天側用抽出画像ＸＡ２に存在することになる。この関係は、第一の天側用抽出画像ＸＡ２と第一の天側用抽出画像ＸＡ３（図示せず）の対比、第一の天側用抽出画像ＸＡ２９と第一の天側用抽出画像ＸＡ３０の対比においても再現されることになる。
同様に、第ニの天側用抽出画像（ＹＡ１、ＹＡ２、〜ＹＡ２９、ＹＡ３０）を抜き出した順に対比すれば、扇形状の領域の両端（２本の直線に沿う領域）が異なるが、それ以外の領域は一致することとなる。
例えば、最初の第一の直線ＲＡ１から最後の第二の直線ＲＺ３０で挟まれた扇形状の領域の中心角を３０度とし、等角度Ｃを１０度、等角度Ｄを１度とした上で、図５における最初の第一の直線ＲＡ１及びこれと一致する図６における最後の第二の直線ＲＺ３０を０度で、時計方向をプラス、反時計方向をマイナスとする絶対座標を仮定した場合、第ニの天側用画像の全体図ＹＡに対して絶対座標プラス３０度からプラス２０度までの扇形状の領域を抜き出したものが１番目（最初）の第ニの天側用抽出画像ＹＡ１であり、絶対座標プラス２９度からプラス１９度までの扇形状の領域を抜き出したものが２番目の第ニの天側用抽出画像ＹＡ２であるので、第ニの天側用抽出画像ＹＡ１と第ニの天側用抽出画像ＹＡ２を対比すれば、第ニの天側用抽出画像ＹＡ１の絶対座標プラス３０度からプラス２９度までの微小な扇形状の領域は第ニの天側用抽出画像ＹＡ２には存在せず、第ニの天側用抽出画像ＹＡ２の絶対座標２０度からプラス１９度までの微小な扇形状の領域は第ニの天側用抽出画像ＹＡ１には存在しないが、第ニの天側用抽出画像ＹＡ１の絶対座標２９度からプラス２０度までの扇形状の領域は第ニの天側用抽出画像ＹＡ２に存在することになる。この関係は、第ニの天側用抽出画像ＹＡ２と第ニの天側用抽出画像ＹＡ３（図示せず）の対比、第ニの天側用抽出画像ＹＡ２９と第ニの天側用抽出画像ＹＡ３０の対比においても再現されることになる。
このように、第一の天側用抽出画像（ＸＡ１、ＸＡ２、〜ＸＡ２９、ＸＡ３０）を抜き出した順に対比した場合、第ニの天側用抽出画像（ＹＡ１、ＹＡ２、〜ＹＡ２９、ＹＡ３０）を抜き出した順に対比した場合、扇形状の領域の両端（２本の直線に沿う領域）が異なるが、それ以外の領域は一致することとなるという関係、つまり、少しずつすれているという関係が再現されるのは、等角度Ｃに対し等角度Ｄが小さく設定されていることによるものである。
【００２９】
上記のようにして、第一の天側用画像の全体図ＸＡと第ニの天側用画像の全体図ＹＡから抜き出し角度である等角度Ｃで、ズレ量の角度である等角度Ｄで、扇形状の領域を抜き出して第一の天側用抽出画像と第ニの天側用抽出画像を順次作成していくと、最初の第一の直線ＲＡ１から最後の第二の直線ＲＺ３０で挟まれた扇形状の領域の中心角を３０度とし等角度Ｄを１度としたのであれば、３０度÷１度（等角度Ｄ）＝３０個で、３０個の第一の天側用抽出画像（ＸＡ１、ＸＡ２、〜ＸＡ２９、ＸＡ３０）と、３０個の第ニの天側用抽出画像（ＹＡ１、ＹＡ２、〜ＹＡ２９、ＹＡ３０）が抽出されることになる。
そして、３０個の第一の天側用抽出画像（ＸＡ１、ＸＡ２、〜ＸＡ２９、ＸＡ３０）を３０枚の連続した頁用紙束を構成する各頁用紙８の表側の用紙面の天側端縁領域８ａに順々に表示し、３０個の第ニの天側用抽出画像（ＹＡ１、ＹＡ２、〜ＹＡ２９、ＹＡ３０）を３０枚の連続した頁用紙束を構成する各頁用紙８の裏側の用紙面の天側端縁領域８ｃに順々に表示することにより、冊子状紙製品１は、３０枚の連続した頁用紙束を構成する各頁用紙８の表側の用紙面に少し（等角度Ｄ＝１度）ずつずれた３０個の第一の天側用抽出画像（ＸＡ１、ＸＡ２、〜ＸＡ２９、ＸＡ３０）を天側端縁領域８ａに備え、３０枚の連続した頁用紙束を構成する各頁用紙８の裏側の用紙面に少し（等角度Ｄ＝１度）ずつずれた３０個の第ニの天側用抽出画像（ＹＡ１、ＹＡ２、〜ＹＡ２９、ＹＡ３０）を天側端縁領域８ｃ備えることとなる。
【００３０】
つまり、本発明では、第一の天側用画像の全体図ＸＡと第ニの天側用画像の全体図ＹＡの全体パターンを単純に等角度で分割した画像分割パターンを用いるのではなく、表第一の天側用画像の全体図ＸＡと第ニの天側用画像の全体図ＹＡの全体パターンから抽出する扇形状の角度が同じ（等角度Ｃで、１０度で共通）であっても、順番に抽出する際の２本の直線（第１の直線と第２の直線）の位置を、第一の天側用画像の全体図ＸＡでは時計方向に第ニの天側用画像の全体図ＹＡでは反時計方向に少しだけ（等角度Ｄで、１度で共通）ずらして、３０個の第一の天側用抽出画像（ＸＡ１、ＸＡ２、〜ＸＡ２９、ＸＡ３０）及び３０個の第ニの天側用抽出画像（ＹＡ１、ＹＡ２、〜ＹＡ２９、ＹＡ３０）を徐々にずらして抽出して作成しているので、冊子状紙製品１を徐々に撓ませた場合にも、各頁の間に画像の切れ目が生じることなく、冊子状紙製品１の天側の端部２に連続的な画像が表れることとなる。
なぜなら、手に取った冊子状紙製品１の背側を摘んで冊子状紙製品１を撓ませて、表表紙５の天側を裏表紙７の天側に傾けて天側の端部２を斜めに広げた図２乃至図３の状態にした場合、斜めに広がった天側の端部２は、本文を構成する頁用紙８が少しずつずれ重なった状態となっている。
ここで、天側の端部２の背側の端はホットメルト接着剤で固められているので広がることはないが、天側の端部２の小口側の端は遊端状態（固められていない開放された状態）にあるので広がり、その結果、天側の端部２は、扇を広げた状態となる。
ここで、本文を構成する隣接する頁用紙８がずれ量（例えば、１度）づつだけ、ずれ重なった状態を想定してみれば、目に見える斜めに広がった天側の端部２とは、結局は、本文を構成する隣接する頁用紙８の表側の天側端縁領域８ａが１度ずつだけずれ重なった状態で見ていることになり、第一の天側用抽出画像（ＸＡ１、ＸＡ２、〜ＸＡ２９、ＸＡ３０）の第一の直線から１度分がそれぞれ見えることとなる。
具体的には、最初の第一の直線ＲＡ１から最後の第二の直線ＲＺ３０で挟まれた扇形状の領域の中心角を３０度とし、等角度Ｃを１０度、等角度Ｄを１度とした上で、図５における最初の第一の直線ＲＡ１及びこれと一致する図６における最後の第二の直線ＲＺ３０を０度で、時計方向をプラス、反時計方向をマイナスとする絶対座標を仮定した場合、第一の天側用抽出画像ＸＡ１の一部である絶対座標０度からプラス１度までの扇形状の領域、第一の天側用抽出画像ＸＡ２の一部である絶対座標プラス１度からプラス２度までの扇形状の領域、途中省略し、第一の天側用抽出画像ＸＡ２９の一部である絶対座標プラス２８度からプラス２９度までの扇形状の領域、第一の天側用抽出画像ＸＡ３０の一部である絶対座標プラス２９度からプラス３０度までの扇形状の領域が同時に見えることになる。
そうすると、等角度Ｄ（１度）と撓ませた状態での天側の端部２のずれ量（１度）が一致すれば、モンタージュ写真が完成したときのように、第一の天側用画像の全体図ＸＡの全体パターン（合計３０度分の扇形形状）が合成され目視可能となるので、その結果、人は冊子状紙製品１の天側の端部２に「三重の杉の木」の絵柄の画像である第一の天側用画像２ａが明瞭に見えることになる。
同じく、手に取った冊子状紙製品１の背側を摘んで冊子状紙製品１を撓ませて、裏表紙７の天側を表表紙７の天側に傾けて天側の端部２を斜めに広げた図４の状態にした場合、斜めに広がった天側の端部２は、本文を構成する頁用紙８が少しずつずれ重なった状態となり、前述したように、天側の端部２は、扇を広げた状態となる。
ここで、本文を構成する隣接する頁用紙６がずれ量（例えば、１度）づつだけ、ずれ重なった状態を想定してみれば、目に見える斜めに広がった天側の端部２とは、結局は、本文を構成する隣接する頁用紙８の裏側の天側端縁領域８ｃが１度ずつだけずれ重なった状態で見ていることになり、第ニの天側用抽出画像（ＹＡ１、ＹＡ２、〜ＹＡ２９、ＹＡ３０）の第一の直線から１度分がそれぞれ見えることとなる。
具体的には、最初の第一の直線ＲＡ１から最後の第二の直線ＲＺ３０で挟まれた扇形状の領域の中心角を３０度とし、等角度Ｃを１０度、等角度Ｄを１度とした上で、図５における最初の第一の直線ＲＡ１及びこれと一致する図６における最後の第二の直線ＲＺ３０を０度で、時計方向をプラス、反時計方向をマイナスとする絶対座標を仮定した場合、第ニの天側用抽出画像ＹＡ１の一部である絶対座標プラス３０度からプラス２９度までの扇形状の領域、第ニの天側用抽出画像ＹＡ２の一部である絶対座標プラス２９度からプラス２８度までの扇形状の領域、途中省略し、第ニの天側用抽出画像ＹＡ２９の一部である絶対座標プラス２度からプラス１度までの扇形状の領域、第ニの天側用抽出画像ＹＡ３０の一部である絶対座標プラス１度から０度までの扇形状の領域が同時に見えることになる。
そうすると、等角度Ｄ（１度）と撓ませた状態での天側の端部２のずれ量（１度）が一致すれば、モンタージュ写真が完成したときのように、第ニの天側用画像の全体図ＹＡの全体パターン（合計３０度分の扇形形状）が合成され目視可能となるので、その結果、人は冊子状紙製品１の天側の端部２に「ニ重の松の木」の絵柄の画像である第ニの天側用画像２ｂが明瞭に見えることになる。
【００３１】
尚、第一の天側用画像の全体図ＸＡと第ニの天側用画像の全体図ＹＡの全体画像パターンを包含する扇形状の角度幅を３０度とし、第一の天側用抽出画像（ＸＡ１、ＸＡ２、〜ＸＡ２９、ＸＡ３０）及び第ニの天側用抽出画像（ＹＡ１、ＹＡ２、〜ＹＡ２９、ＹＡ３０）を抜き出す角度である等角度Ｃを１０度とし、ずらす角度である等角度Ｄを１度とした仕様に沿って説明を行なったが、これに対応する図面である図５及び図６において、第一の天側用画像の全体図ＸＡと第ニの天側用画像の全体図ＹＡに対して、ＲＡ１からＲＡ２、或いはＲＡ２９からＲＡ３０までの等角度Ｄが１度よりもかなり広く示されているが、これは理解しやすくするために誇張して示したものである。
また、これまでの説明では、第一の天側用画像の全体図ＸＡと第ニの天側用画像の全体図ＹＡの全体画像パターンを包含する扇形状の角度幅を３０度としたが、背景部分を更に両翼に広げ、６０度と設定することも可能であり、適宜設定できる。同様に、等角度Ｃを１０度とし、等角度Ｄを１度、第一及び第二の天側用抽出画像が表示された連続した頁用紙束を３０枚としたが、これに限定されるものではない。
例えば、漫画の月刊誌のような厚みが１００ｍｍ以上ある冊子であれば、第一の天側用画像の全体図ＸＡと第ニの天側用画像の全体図ＹＡの全体画像パターンを包含する扇形状の角度幅をより大きく設定することで大きな宣伝効果が期待できるし、手帳の中身のような小口端部の厚みが１０ｍｍ以下の冊子であれば、小さく設定しなければならない。
また、第一及び第二の天側用抽出画像を表示し得るいわゆる本文を構成する頁用紙８の最大数は厚みのみで決まるものではなく、全体の厚みと頁用紙８の厚みで変動するものである。
したがって、冊子状紙製品１の種類、紙質、得意先の希望する表示したい宣伝広告用の画像のサイズ等の種々の条件を検討して、角度Ｃ、角度Ｄ、第一の天側用画像の全体図ＸＡと第ニの天側用画像の全体図ＹＡの全体画像パターンを包含する扇形状の角度幅、第一及び第二の天側用抽出画像が表示された連続した頁用紙束の枚数を検討することになる。
【００３２】
各頁用紙８における画像の配置は、以下の通りである。
ここでは、前述したように、表表紙５と背表紙６と裏表紙７とが連接した表紙でくるんだ複数の頁用紙８から構成される本文において、この本文を構成する複数の頁用紙８（仮に５０枚とする）の一部（仮に３０枚とする）である連続した頁用紙束（表表紙５側の１０枚と裏表紙７側の１０枚を除いた残りの内側の３０枚）を構成する各頁用紙８の表側の用紙面（表表紙５に対向する頁用紙の用紙面）に第一の天側用抽出画像（ＸＡ１、ＸＡ２〜ＸＡ２９、ＸＡ３０）を表示し、各頁用紙８の裏側の用紙面（裏表紙７に対向する頁用紙の用紙面）に第ニの天側用抽出画像（ＹＡ１、ＹＡ２〜ＹＡ２９、ＹＡ３０）を表示する仕様にて説明する。
この本文を構成する５０枚の頁用紙８のうち、１１枚目の頁用紙８の表側の用紙面の天側端縁領域８ａに第一の天側用抽出画像ＸＡ３０を裏側の用紙面の天側端縁領域８ｃに第ニの天側用抽出画像ＹＡ１を、１２枚目の頁用紙８の表側の用紙面の天側端縁領域８ａに第一の天側用抽出画像ＸＡ２９を裏側の用紙面の天側端縁領域８ｃに第ニの天側用抽出画像ＹＡ２を、１３枚目の頁用紙８の表側の用紙面の天側端縁領域８ａに第一の天側用抽出画像ＸＡ２８を裏側の用紙面の天側端縁領域８ｃに第ニの天側用抽出画像ＹＡ３を、１４枚目の頁用紙８の表側の用紙面の天側端縁領域８ａに第一の天側用抽出画像ＸＡ２７を裏側の用紙面の天側端縁領域８ｃに第ニの天側用抽出画像ＹＡ４を、１５枚目の頁用紙８の表側の用紙面の天側端縁領域８ａに第一の天側用抽出画像ＸＡ２６を裏側の用紙面の天側端縁領域８ｃに第ニの天側用抽出画像ＹＡ５を、１６枚目の頁用紙８の表側の用紙面の天側端縁領域８ａに第一の天側用抽出画像ＸＡ２５を裏側の用紙面の天側端縁領域８ｃに第ニの天側用抽出画像ＹＡ６を、１７枚目の頁用紙８の表側の用紙面の天側端縁領域８ａに第一の天側用抽出画像ＸＡ２４を裏側の用紙面の天側端縁領域８ｃに第ニの天側用抽出画像ＹＡ７を、１８枚目の頁用紙８の表側の用紙面の天側端縁領域８ａに第一の天側用抽出画像ＸＡ２３を裏側の用紙面の天側端縁領域８ｃに第ニの天側用抽出画像ＹＡ８を、１９枚目の頁用紙８の表側の用紙面の天側端縁領域８ａに第一の天側用抽出画像ＸＡ２２を裏側の用紙面の天側端縁領域８ｃに第ニの天側用抽出画像ＹＡ９を、２０枚目の頁用紙８の表側の用紙面の天側端縁領域８ａに第一の天側用抽出画像ＸＡ２１を裏側の用紙面の天側端縁領域８ｃに第ニの天側用抽出画像ＹＡ１０を、２１枚目の頁用紙８の表側の用紙面の天側端縁領域８ａに第一の天側用抽出画像ＸＡ２０を裏側の用紙面の天側端縁領域８ｃに第ニの天側用抽出画像ＹＡ１１を、２２枚目の頁用紙８の表側の用紙面の天側端縁領域８ａに第一の天側用抽出画像ＸＡ１９を裏側の用紙面の天側端縁領域８ｃに第ニの天側用抽出画像ＹＡ１２を、２３枚目の頁用紙８の表側の用紙面の天側端縁領域８ａに第一の天側用抽出画像ＸＡ１８を裏側の用紙面の天側端縁領域８ｃに第ニの天側用抽出画像ＹＡ１３を、２４枚目の頁用紙８の表側の用紙面の天側端縁領域８ａに第一の天側用抽出画像ＸＡ１７を裏側の用紙面の天側端縁領域８ｃに第ニの天側用抽出画像ＹＡ１４を、２５枚目の頁用紙８の表側の用紙面の天側端縁領域８ａに第一の天側用抽出画像ＸＡ１６を裏側の用紙面の天側端縁領域８ｃに第ニの天側用抽出画像ＹＡ１５を、２６枚目の頁用紙８の表側の用紙面の天側端縁領域８ａに第一の天側用抽出画像ＸＡ１５を裏側の用紙面の天側端縁領域８ｃに第ニの天側用抽出画像ＹＡ１６を、２７枚目の頁用紙８の表側の用紙面の天側端縁領域８ａに第一の天側用抽出画像ＸＡ１４を裏側の用紙面の天側端縁領域８ｃに第ニの天側用抽出画像ＹＡ１７を、２８枚目の頁用紙８の表側の用紙面の天側端縁領域８ａに第一の天側用抽出画像ＸＡ１３を裏側の用紙面の天側端縁領域８ｃに第ニの天側用抽出画像ＹＡ１８を、２９枚目の頁用紙８の表側の用紙面の天側端縁領域８ａに第一の天側用抽出画像ＸＡ１２を裏側の用紙面の天側端縁領域８ｃに第ニの天側用抽出画像ＹＡ１９を、３０枚目の頁用紙８の表側の用紙面の天側端縁領域８ａに第一の天側用抽出画像ＸＡ１１を裏側の用紙面の天側端縁領域８ｃに第ニの天側用抽出画像ＹＡ２０を、３１枚目の頁用紙８の表側の用紙面の天側端縁領域８ａに第一の天側用抽出画像ＸＡ１０を裏側の用紙面の天側端縁領域８ｃに第ニの天側用抽出画像ＹＡ２１を、３２枚目の頁用紙８の表側の用紙面の天側端縁領域８ａに第一の天側用抽出画像ＸＡ９を裏側の用紙面の天側端縁領域８ｃに第ニの天側用抽出画像ＹＡ２２を、３３枚目の頁用紙８の表側の用紙面の天側端縁領域８ａに第一の天側用抽出画像ＸＡ８を裏側の用紙面の天側端縁領域８ｃに第ニの天側用抽出画像ＹＡ２３を、３４枚目の頁用紙８の表側の用紙面の天側端縁領域８ａに第一の天側用抽出画像ＸＡ７を裏側の用紙面の天側端縁領域８ｃに第ニの天側用抽出画像ＹＡ２４を、３５枚目の頁用紙８の表側の用紙面の天側端縁領域８ａに第一の天側用抽出画像ＸＡ６を裏側の用紙面の天側端縁領域８ｃに第ニの天側用抽出画像ＹＡ２５を、３６枚目の頁用紙８の表側の用紙面の天側端縁領域８ａに第一の天側用抽出画像ＸＡ５を裏側の用紙面の天側端縁領域８ｃに第ニの天側用抽出画像ＹＡ２６を、３７枚目の頁用紙８の表側の用紙面の天側端縁領域８ａに第一の天側用抽出画像ＸＡ４を裏側の用紙面の天側端縁領域８ｃに第ニの天側用抽出画像ＹＡ２７を、３８枚目の頁用紙８の表側の用紙面の天側端縁領域８ａに第一の天側用抽出画像ＸＡ３を裏側の用紙面の天側端縁領域８ｃに第ニの天側用抽出画像ＹＡ２８を、３９枚目の頁用紙８の表側の用紙面の天側端縁領域８ａに第一の天側用抽出画像ＸＡ２を裏側の用紙面の天側端縁領域８ｃに第ニの天側用抽出画像ＹＡ２９を、４０枚目の頁用紙８の表側の用紙面の天側端縁領域８ａに第一の天側用抽出画像ＸＡ１を裏側の用紙面の天側端縁領域８ｃに第ニの天側用抽出画像ＹＡ３０を配置する。
図１１は１１枚目の頁用紙８を、図１２は１２枚目の頁用紙８を、図１３は４０枚目の頁用紙８を、図１４は３９枚目の頁用紙８を示している。
【００３３】
ここで、表側の天側端縁領域８ａについて説明すると、第一の天側用抽出画像（ＸＡ１、ＸＡ２、〜ＸＡ２９、ＸＡ３０）を配置する領域であり、三方断裁の完了した冊子状紙製品１を構成する頁用紙８では、図７（ａ）（ｂ）、図８（ａ）（ｂ）の天側の端部（断裁後の頁用紙８を示す太枠の実線で囲まれた領域の上辺）に沿った５ｍｍ程度の幅の領域であり、三方断裁前の印刷の完了した冊子状紙製品１を製本する前の頁用紙８では、図１１（ａ）図１２（ａ）、図１３（ａ）、図１４（ａ）の天側の端部（断裁前の頁用紙８を示す太枠の実線で囲まれた領域の上辺）の少し下の天側断裁予定線（一点鎖線で示すライン）に沿った５ｍｍ程度の幅の領域であり、図１１乃至図１４の天側の端部の少し下の天側断裁予定線で断裁すれば、その天側断裁予定線が、図７、図８の天側の端部となる。
次に、裏側の天側端縁領域８ｃについて説明すると、第ニの天側用抽出画像（ＹＡ１、ＹＡ２、〜ＹＡ２９、ＹＡ３０）を配置する領域であり、三方断裁の完了した冊子状紙製品１を構成する頁用紙８では、図９（ａ）（ｂ）、図１０（ａ）（ｂ）の天側の端部（断裁後の頁用紙８を示す太枠の実線で囲まれた領域の上辺）に沿った５ｍｍ程度の幅の領域であり、三方断裁前の印刷の完了した冊子状紙製品１を製本する前の頁用紙８では、図１１（ｂ）図１２（ｂ）、図１３（ｂ）、図１４（ｂ）の天側の端部（断裁前の頁用紙８を示す太枠の実線で囲まれた領域の上辺）の少し下の天側断裁予定線（一点鎖線で示すライン）に沿った５ｍｍ程度の幅の領域であり、図１１乃至図１４の天側の端部の少し下の天側断裁予定線で断裁すれば、その天側断裁予定線が、図９、図１０の天側の端部となる。
次に、表側の地側端縁領域８ｂについて説明すると、後述する第一の地側用抽出画像（ＸＢ１、ＸＢ２、〜ＸＢ２９、ＸＢ３０）を配置する領域であり、三方断裁の完了した冊子状紙製品１を構成する頁用紙８では、図７（ａ）（ｂ）、図８（ａ）（ｂ）の地側の端部（断裁後の頁用紙８を示す太枠の実線で囲まれた領域の下辺）に沿った５ｍｍ程度の幅の領域であり、三方断裁前の印刷の完了した冊子状紙製品１を製本する前の頁用紙８では、図１１（ａ）図１２（ａ）、図１３（ａ）、図１４（ａ）の地側の端部（断裁前の頁用紙８を示す太枠の実線で囲まれた領域の上辺）の少し上の地側断裁予定線（一点鎖線で示すライン）に沿った５ｍｍ程度の幅の領域であり、図１１乃至図１４の地側の端部の少し上の天側断裁予定線で断裁すれば、その地側断裁予定線が、図７、図８の地側の端部となる。
次に、裏側の地側端縁領域８ｄについて説明すると、後述する第ニの地側用抽出画像（ＹＢ１、ＹＢ２、〜ＹＢ２９、ＹＢ３０）を配置する領域であり、三方断裁の完了した冊子状紙製品１を構成する頁用紙８では、図９（ａ）（ｂ）、図１０（ａ）（ｂ）の地側の端部（断裁後の頁用紙８を示す太枠の実線で囲まれた領域の下辺）に沿った５ｍｍ程度の幅の領域であり、三方断裁前の印刷の完了した冊子状紙製品１を製本する前の頁用紙８では、図１１（ｂ）図１２（ｂ）、図１３（ｂ）、図１４（ｂ）の地側の端部（断裁前の頁用紙８を示す太枠の実線で囲まれた領域の下辺）の少し上の地側断裁予定線（一点鎖線で示すライン）に沿った５ｍｍ程度の幅の領域であり、図１１乃至図１４の地側の端部の少し上の地側断裁予定線で断裁すれば、その地側断裁予定線が、図９、図１０の地側の端部となる。
なお、ここで、表側の天側端縁領域８ａ、表側の地側端縁領域８ｂ、裏側の天側端縁領域８ｃ、表側の地側端縁領域８ｄを５ｍｍ程度の幅としたが、この幅は適宜設定することが可能である。
【００３４】
次に、上記した、第一の天側用抽出画像（ＸＡ１、ＸＡ２、〜ＸＡ２９、ＸＡ３０）、第ニの天側用抽出画像（ＹＡ１、ＹＡ２、〜ＹＡ２９、ＹＡ３０）、のそれぞれ３０個の抽出画像を頁用紙８に印刷した冊子状紙製品１を製造する際の手順について以下に説明する。
ここでは、本文が５０枚の頁用紙８で構成され、このうちの３０枚の連続した頁用紙束を構成する各頁用紙８の表側の用紙面の天側端縁領域８ａに第一の天側用抽出画像（ＸＡ１、ＸＡ２、〜ＸＡ２９、ＸＡ３０）が、裏側の用紙面の天側端縁領域８ｃに第ニの天側用抽出画像（ＹＡ１、ＹＡ２、〜ＹＡ２９、ＹＡ３０）が印刷されるとともに、全５０枚の頁用紙８の表裏側の用紙面に罫線等の所望の印刷が形成された手帳の中身を製造する工程に代表させて説明する。
【００３５】
まず、手帳の中身のうち表紙を除く本文を構成する５０の頁用紙のうち、最初の１０枚（１枚目〜１０枚目）の頁用紙８の表裏側の用紙面には手帳としての罫線等の印刷のみを施し、１１枚目〜４０枚目の頁用紙８の表側の用紙面には罫線等の印刷と第一の天側用抽出画像（ＸＡ１、ＸＡ２、〜ＸＡ２９、ＸＡ３０）の両方の印刷を施し、裏側の用紙面には罫線等の印刷と第ニの天側用抽出画像（ＹＡ１、ＹＡ２、〜ＹＡ２９、ＹＡ３０）の両方の印刷を施し、最後の１０枚（４１枚目〜５０枚目）の頁用紙８の表裏側の用紙面には手帳としての罫線等の印刷のみを施す。
ここで、念のため断っておくが、抽出画像については、１１枚目の頁用紙８の表側の用紙面の天側端縁領域８ａに第一の天側用抽出画像ＸＡ３０を印刷し、裏側の用紙面の天側端縁領域８ｃに第ニの天側用抽出画像ＹＡ１を印刷を印刷する。
１２枚目の頁用紙８の表側の用紙面の天側端縁領域８ａに第一の天側用抽出画像ＸＡ２９を印刷し、裏側の用紙面の天側端縁領域８ｃに第ニの天側用抽出画像ＹＡ２を印刷を印刷する。
以下、この順で、最後の４０枚目の頁用紙８の表側の用紙面の天側端縁領域８ａに第一の天側用抽出画像ＸＡ１を印刷し、裏側の用紙面の天側端縁領域８ｃに第ニの天側用抽出画像ＹＡ３０を印刷を印刷することになる。
【００３６】
これらの印刷は、いわゆるオンデマンド印刷で行う。オンデマンド印刷とは、オンデマンド（ｏｎ  ｄｅｍａｎｄ:要求に応じて）印刷することを意味しており、「必要なものを、必要な時に、必要な数だけ」印刷するのに適したシステムである。
フィルム製版、ＣＴＰ刷版といったオフセット印刷に必要な工程が無く、デジタルデータを直接出力するデジタル印刷機を使用する。
オフセット印刷と比較すると若干品質が劣るとも言われているが、最新鋭のオンデマンド印刷機（デジタルフルカラー印刷機）なら十分な品質が得られる。
特に、本発明のように隣接する頁用紙８に印刷する抽出画像が少しずつずれた（シフトした）異なる画像である場合には、オンデマンド印刷が納期・コストの点でも望ましいものである。
図１１（ａ）には１１枚目の頁用紙８の表側の用紙面の天側端縁領域８ａに第一の天側用抽出画像ＸＡ３０が印刷された状態の印刷物の平面図が、図１１（ｂ）には１１枚目の頁用紙８の裏側の用紙面の天側端縁領域８ｃに第ニの天側用抽出画像ＹＡ１が印刷された状態の印刷物の平面図が示されており、図１２（ａ）には１２枚目の頁用紙８の表側の用紙面の天側端縁領域８ａに第一の天側用抽出画像ＸＡ２９が印刷された状態の印刷物の平面図が、図１２（ｂ）には１２枚目の頁用紙８の裏側の用紙面の天側端縁領域８ｃに第ニの天側用抽出画像ＹＡ２が印刷された状態の印刷物の平面図が示されており、図１４（ａ）には３９枚目の頁用紙８の表側の用紙面の天側端縁領域８ａに第一の天側用抽出画像ＸＡ２が印刷された状態の印刷物の平面図が、図１４（ｂ）には３９枚目の頁用紙８の裏側の用紙面の天側端縁領域８ｃに第ニの天側用抽出画像ＹＡ２９が印刷された状態の印刷物の平面図が示されており、図１３（ａ）には４０枚目の頁用紙８の表側の用紙面の天側端縁領域８ａに第一の天側用抽出画像ＸＡ１が印刷された状態の印刷物の平面図が、図１３（ｂ）には１２枚目の頁用紙８の裏側の用紙面の天側端縁領域８ｃに第ニの天側用抽出画像ＹＡ３０が印刷された状態の印刷物の平面図が示されている。
なお、手帳としての罫線等の印刷は図面では省略している。
【００３７】
ここで、図１１乃至図１４に示す頁用紙８は図７乃至図１０に示す頁用紙８より若干サイズが大きい。
このため、図７乃至図１０の頁用紙８では木の絵とその周囲の背景を含めた抽出画像が天側の端部にまで達するように配置されているが、図１１乃至図１４の頁用紙８では抽出画像が天側の端部にまで達するように配置されておらず、抽出画像が形成された位置は天側の端部から地側に向かって若干後退した一点鎖線で示す手前までとなっている。
これは、図１１乃至図１４が、無線綴製本工程を経ていない印刷が行われただけのシート状印刷物（輪転印刷機のデリバリーから排出される折丁ではない趣旨で、シート状印刷物と定義している）の状態を平面的に俯瞰するものであるのに対し、図７乃至図１０は、これらのシート状印刷物及び表紙材を材料として準備し、無線綴製本工程（本文を構成する印刷済み頁用紙の集積・本文を構成する印刷済み頁用紙の集積体と表紙材の背側でのホットメルト接着剤による接着・天地小口側での三方断裁）を経て完成した無線綴形態の冊子状紙製品１である手帳（ビニールカバー無し）から抜き取った頁用紙８の状態を平面的に俯瞰するものであることによる。
つまり、図１１乃至図１４の頁用紙８は、天地小口の三方断裁がなされていないので、その断裁代の部分（主に余白が多い）だけ全体のサイズが大きくなっており、天側の断裁代（天側の端部と一点鎖線との間）が存在するので、抽出画像が形成された位置は天側の端部から地側に向かって若干（天側の断裁代の長さだけ）後退しているように見えるものであり、同様に、地側の断裁代（地側の端部と一点鎖線との間）も存在するので、抽出画像が形成された位置は地側の端部から天側に向かって若干（地側の断裁代の長さだけ）後退しているように見えるものである。
【００３８】
こうして、オンデマンド印刷により、１枚目の頁用紙８の表裏側の用紙面に手帳としての罫線等を印刷した１枚目の印刷済みの頁用紙８を出力する。
次に、２枚目の頁用紙８の表裏側の用紙面に手帳としての罫線等を印刷した２枚目の印刷済みの頁用紙８を出力する。
これらの処理を繰り返して、１０枚目までの印刷済みの頁用紙８を出力する。
次に、オンデマンド印刷により、１１枚目の頁用紙８の表側の用紙面の天側端縁領域８ａに第一の天側用抽出画像ＸＡ３０を印刷し同時に手帳としての罫線等を印刷し、また、１１枚目の頁用紙８の裏側の用紙面の天側端縁領域８ｃに第ニの天側用抽出画像ＹＡ１を印刷し同時に手帳としての罫線等を印刷して１１枚目の印刷済みの頁用紙８を出力する。
次に、１２枚目の頁用紙８の表側の用紙面の天側端縁領域８ａに第一の天側用抽出画像ＸＡ２９を印刷し同時に手帳としての罫線等を印刷し、また、１２枚目の頁用紙８の裏側の用紙面の天側端縁領域８ｃに第ニの天側用抽出画像ＹＡ２を印刷し同時に手帳としての罫線等を印刷して１１枚目の印刷済みの頁用紙８を出力する。
これらの処理を繰り返して、４０枚目までの印刷済みの頁用紙８を出力する。
【００３９】
最後に、オンデマンド印刷により、４１枚目の頁用紙８の表裏側の用紙面に手帳としての罫線等を印刷した４１枚目の印刷済みの頁用紙８を出力する。
次に、４２枚目の頁用紙８の表裏側の用紙面に手帳としての罫線等を印刷した４２枚目の印刷済みの頁用紙８を出力する。
これらの処理を繰り返して、５０枚目までの印刷済みの頁用紙８を出力する
こうして、手帳の中身のうち表紙を除く本文を構成する５０枚分の印刷済み頁用紙８が全て出力されるが、頁用紙８の１１枚目から４０枚目までについては、通常の手帳としての罫線等の印刷の他に、１１枚目から順に第一の天側用抽出画像ＸＡ３０〜ＸＡ１がそれぞれの頁用紙８の表側の用紙面の天側端縁領域８ａに、１１枚目から順に第ニの天側用抽出画像ＹＡ１〜ＹＡ３０がそれぞれの頁用紙８の裏側の用紙面の天側端縁領域８ｃに印刷されることになる。
ここで、オンデマンド印刷を行うことにより、手帳の中身のうち表紙を除く本文を構成する５０枚分の頁用紙８の所望の頁用紙８に抽出画像を印刷することが可能となる。
例えば、１枚目〜３０枚目までに抽出画像を印刷し３１枚目〜５０枚目には抽出画像を印刷しない仕様も、抽出画像をその他の条件との関係で２０個にしたり、５０個にしたりする場合もあるが、これらの印刷に適切に対応することが出来る。
【００４０】
なお、後の無線綴製本工程で例えば１０００部の冊子状紙製品１を製造することを考慮すれば、このオンデマンド印刷工程においては、１枚目〜５０枚目まで１０００枚ずつ出力しておき後述する無線綴製本機で丁合することが製造コスト的には好ましいが、これに限る必要はない。
例えば、１枚目〜５０枚目まで１枚ずつ出力して、５０枚のシートが出力されると印刷機の排出部側では頁丁合が予めなされることになり、小部数（小冊数）の場合であれば、後述する丁合から三方断裁までを一貫して加工する無線綴製本機のような加工装置を用いることなく、丁合済み（頁丁合済み）の本文を構成する複数の頁用紙束を直接手差しで供給し、無線綴加工や三方断裁を行う簡易な無線綴機で製本加工することも可能である。
【００４１】
そして、これらの第一の天側用抽出画像ＸＡ３０〜ＸＡ１、第ニの天側用抽出画像ＹＡ１〜ＹＡ３０、手帳としての罫線等を印刷した１１枚目〜４０枚目の頁用紙８を含む頁用紙束５０枚（本文を構成する）を準備し、別途、適宜印刷の施された表紙（表表紙５と背表紙６と裏表紙７に対応する３つの領域からなり、あらかじめ、各表紙間に押し罫線を形成しておくこともある。）を準備しておき、この表紙にて本文（５０枚の頁用紙８）をくるんで、表紙の背表紙６に相当する領域の内側と本文の背側をホットメルト接着剤で固着し、次いで、天側・地側・小口側の端部を三方断裁して、無線綴じされた冊子状紙製品１（ここでは手帳の中身）が出来上がる。
この三方断裁（仕上げ断裁とも化粧断ちとも言われる）を経た冊子状紙製品１では、図１に示すように、表表紙５と背表紙６と裏表紙７とが連接した表紙と、その表紙でくるんだ複数の頁用紙８から構成される本文とを備え、背表紙６の内側が対向する本文の背部分にホットメルト接着剤にて接着されており、更に、天側と地側と小口側における本文の端縁位置更には表表紙５と裏表紙７の端縁位置までもが、製本の最終工程である三方断裁工程において切り揃えられることにより、同一（面一）となっている。
【００４２】
なお、本文を構成する頁用紙８の天側及び地側の断裁代は、図１１乃至図１４に示す一点鎖線の位置（天側及び地側の断裁位置）の付近（多少ずれることがある）で断裁することにより除去されているので、１１枚目〜４０枚目の頁用紙８においては、図７乃至図１０に示すように、頁用紙８の表裏側の天側の端部にまで達する印刷面（抽出画像）が形成されることとなる。
更に、１１枚目〜４０枚目の頁用紙８において、頁用紙８の表裏側の用紙面の地側端縁領域８ｂ、８ｄに抽出画像を配置するものであれば、図７乃至図１０に示すのと同様に、頁用紙８の表裏側の地側の端部にまで達する印刷面（木の絵とその周囲の背景を含めた抽出画像）が形成されることとなる。
したがって、天地近傍の上記抽出画像を配置するの領域である表側の天側端縁領域８ａ、表側の地側端縁領域８ｂ、裏側の天側端縁領域８ｃ、裏側の地側端縁領域８ｄにおいては、例えば、画像が人で場合には、その人の体の部分のみならず、その背景部分についても印刷されているので、この印刷領域においては、背景が白い部分を除けば、全てにインクが付着されていることになるので、天側の端部或いは地側の端部においても、冊子が全く撓んでいない状態であっても、天側の端部或いは地側の端部を見れば薄っすらと所望の画像が現出している（目視できる）場合がある。
【００４３】
本発明の冊子を製造するための製造装置の一例としては、各工程（丁合・無線綴・三方断裁）をオンライン上で一貫して加工する無線綴製本機が挙げられるが、これらの各工程（丁合・無線綴・三方断裁）がオフラインの機械でなされる場合もある。
なお、丁合から三方断裁までを一貫して加工する無線綴製本機は、丁合機・無線綴機・三方断裁機をコンベアに沿って配置することで、印刷物を丁合機のフィーダーにセットするだけで冊子状紙製品１までの仕上げ加工が出来る一貫製造ラインであるが、丁合機を備えない無線綴加工機もあり、三方断裁機を備えない無線綴加工機もある。
例えば、丁合機を備えない丁合工程を備えない無線綴加工機であれば、コンベアの入口側に手差し供給部を備え、作業員が、丁合済み（頁丁合済み）の本文を構成する複数の頁用紙束を直接手差しで供給し、無線綴加工や三方断裁のみを行うことで冊子状紙製品１に仕上げ加工することが出来る。
【００４４】
更に、三方断裁も備えない小型の無線綴機であれば、コンベアの入口側に設けられた手差し供給部から丁合済み（頁丁合済み）の本文を構成する複数の頁用紙束を直接手差しで供給し、コンベアの出口側でクルミ本が排出され、このクルミ本を一旦パレット上に積載して、これを別フロアにある断裁機（これは刃物が一つしかない枚葉印刷物の束を断裁する一般的な断裁機）脇にまで運んで、このオフラインの断裁機にて天地小口を仕上げ断裁（化粧断ちとも言う）を行うことで冊子状紙製品１に仕上げ加工することが出来る。
【００４５】
なお、冊子状紙製品の形態としては、無線綴形態以外にも中綴形態がある。
しかし、中綴形態の冊子状紙製品では、中綴じ用の針で綴じられる冊子の中央部分が大きく開くつまりずれが大きくなる傾向があるので、画像の中央部が少し膨れた全体画像が現出することになってしまうので、適正な全体画像を現出させる点では問題がある。
また、冊子状紙製品を構成する本文を構成する頁用紙８をオンデマンド印刷による出力物、前述したように無線綴製本工程を経ていない印刷が行われただけの状態ではシート状印刷物としたのは、輪転印刷機のデリバリーから排出される折丁では隣接する頁用紙に少しずつずれた抽出画像を配置する如き精度の高い印刷物の形成は困難であることも理由である。
輪転印刷機のデリバリーから排出される折丁は、展開した状態で折丁の小口となる位置に正確に抽出画像を配置（印刷形成）する必要があり、印刷機のデリバリー側の折機の折精度を考えると、出来上がった折丁を三方断裁しても隣接する頁用紙に少しずつずれた抽出画像を配置する状態とすることはきわめて困難である。
その点で、折丁を使う必要のある、中綴本形態の冊子状紙製品、アジロ綴形態の冊子状紙製品、糸綴じした折丁をホットメルトで背固めした形態の冊子状紙製品（辞書に多い）においても、適正な全体画像が現出させる点では問題がある。
【００４６】
次に、本発明の他の実施形態に係る冊子状紙製品１を図面に基づいて詳細に説明する。
図１５に示すように、本発明の他の実施形態に係る冊子状紙製品１は、図１乃至図４の冊子状紙製品１を縦方向に反転させて、表表紙５と裏表紙７とが逆転した状態を示すものである。従って、天側の端部２や地側の端部３に現れる画像以外は同じ構造である。
ここで、図１５に示す冊子状紙製品１の地側の端部３には、一例として「三連の串刺しの食べ物」を示す絵柄の第一の地側用画像３ａが隠れており、図１５に示すように、冊子状紙製品１を撓ませて、表表紙５の地側を裏表紙７の地側に傾けて地側の端部３を斜めに広げた状態とした場合にあっては、冊子状紙製品１の地側の端部３に第一の地側用画像３ａが明瞭に現れる。
また、本発明の他の実施形態に係る冊子状紙製品１は、図１５に示したのとは反対方向に冊子状紙製品１を撓ませた場合、つまり、図１６に示すように、冊子状紙製品１を撓ませて、裏表紙７の地側を表表紙５の地側に傾けて地側の端部３を斜めに広げた状態とした場合にあっては、冊子状紙製品１の地側の端部３に第二の地側用画像３ｂが明瞭に現れる。
図１６に示す場合では、第一の地側用画像３ａとは異なる絵柄である第二の地側用画像３ｂとして、「二連の串刺しの食べ物」が、その一例として描写されている。
尚、第一の地側用画像３ａと第二の地側用画像３ｂは、異なる絵柄の画像であればどのような内容の絵柄であってもよく、冊子状紙製品１の製作者側で任意に選択して用いればよく、上記の実施形態で用いた絵柄に限定されるものではない。
また、第一の地側用画像３ａと第二の地側用画像３ｂとして、例えば、同じ「三連の串刺しの食べ物三重」を採用すれば、冊子状紙製品１を撓ませる方向に関係なく、常に地側の端部３に「三連の串刺しの食べ物三重」を現すことが可能である。
【００４７】
この第一の地側用画像３ａは、図１７に示す第一の地側用画像の全体図ＸＢから第一の地側用抽出画像（ＸＢ１、ＸＢ２、〜ＸＢ２９、ＸＢ３０）を抜き出し、連続した頁用紙束を構成する各頁用紙８の表側の用紙面の地側端縁領域８ｂに表示することにより、製本の完了した冊子状紙製品１の地側の端部３に現すことができ、第ニの地側用画像３ｂは、図１８に示す第ニの地側用画像の全体図ＹＢから第ニの地側用抽出画像（ＹＢ１、ＹＢ２、〜ＹＢ２９、ＹＢ３０）を抜き出し、連続した頁用紙束を構成する各頁用紙８の裏側の用紙面の地側端縁領域８ｄに表示することにより、製本の完了した冊子状紙製品１の地側の端部３に現すことができ、全体画像からの抽出画像の抜き出し方、頁用紙８への抽出画像の配置方法は、先の実施形態で説明したものと同様であるので、以下、簡略に説明する。
【００４８】
全体画像からの抽出画像の抜き出し方については、最初の第一の直線ＲＡ１から最後の第二の直線ＲＺ３０で挟まれた扇形状の領域の中心角を同じく３０度とし、等角度Ｃを同じく１０度、等角度Ｄを同じく１度とした上で、図１７における最後の第二の直線ＲＺ３０及びこれと一致する図１８における最初の第一の直線ＲＡ１を０度で時計方向をプラス、反時計方向をマイナスとする絶対座標を仮定した場合で説明する。
第一の地側用画像の全体図ＸＢに対して絶対座標プラス３０度からプラス２０度までの扇形状の領域を抜き出したものが１番目（最初）の第一の地側用抽出画像ＸＢ１となり、絶対座標プラス２９度からプラス１９度までの扇形状の領域を抜き出したものが２番目の第一の地側用抽出画像ＸＢ２となり、途中省略して、絶対座標プラス１１度からプラス１度までの扇形状の領域を抜き出したものが２９番目の第一の地側用抽出画像ＸＢ２９となり、絶対座標プラス１０度から０度までの扇形状の領域を抜き出したものが３０番目（最後）の第一の地側用抽出画像ＸＢ３０となる。
第ニの地側用画像の全体図ＹＢに対して絶対座標０度からプラス１０度までの扇形状の領域を抜き出したものが１番目（最初）の第ニの地側用抽出画像ＹＢ１であり、絶対座標プラス１度からプラス１１度までの扇形状の領域を抜き出したものが２番目の第ニの地側用抽出画像ＹＢ２であり、途中省略して、絶対座標プラス１９度からプラス２９度までの扇形状の領域を抜き出したものが２９番目の第ニの地側用抽出画像ＹＢ２９であり、絶対座標プラス２０度からプラス３０度までの扇形状の領域を抜き出したものが３０番目（最後）の第ニの地側用抽出画像ＹＢ３０であり、
【００４９】
各頁用紙における画像の配置は、以下の通りである。
ここでは、先の実施形態と同様に、表表紙５と背表紙６と裏表紙７とが連接した表紙でくるんだ複数の頁用紙８から構成される本文において、この本文を構成する複数の頁用紙８（仮に５０枚とする）の一部（仮に３０枚とする）である連続した頁用紙束（表表紙５側の１０枚と裏表紙７側の１０枚を除いた残りの内側の３０枚）を構成する各頁用紙８の表側の用紙面（表表紙５に対向する頁用紙の用紙面）に第一の地側用抽出画像（ＸＢ１、ＸＢ２〜ＸＢ２９、ＸＢ３０）を表示し、各頁用紙８の裏側の用紙面（裏表紙７に対向する頁用紙の用紙面）に第ニの地側用抽出画像（ＹＢ１、ＹＢ２〜ＹＢ２９、ＹＢ３０）を表示する仕様にて説明する。
この本文を構成する５０枚の頁用紙８のうち、１１枚目の頁用紙８の表側の用紙面の地側端縁領域８ｂに第一の地側用抽出画像ＸＢ３０を裏側の用紙面の地側端縁領域８ｄに第ニの天側用抽出画像ＹＢ１を、１２枚目の頁用紙８の表側の用紙面の地側端縁領域８ｂに第一の地側用抽出画像ＸＢ２９を裏側の用紙面の地側端縁領域８ｄに第ニの天側用抽出画像ＹＢ２を、１３枚目の頁用紙８の表側の用紙面の地側端縁領域８ｂに第一の地側用抽出画像ＸＢ２８を裏側の用紙面の地側端縁領域８ｄに第ニの天側用抽出画像ＹＢ３を、１４枚目の頁用紙８の表側の用紙面の地側端縁領域８ｂに第一の地側用抽出画像ＸＢ２７を裏側の用紙面の地側端縁領域８ｄに第ニの天側用抽出画像ＹＢ４を、１５枚目の頁用紙８の表側の用紙面の地側端縁領域８ｂに第一の地側用抽出画像ＸＢ２６を裏側の用紙面の地側端縁領域８ｄに第ニの天側用抽出画像ＹＢ５を、１６枚目の頁用紙８の表側の用紙面の地側端縁領域８ｂに第一の地側用抽出画像ＸＢ２５を裏側の用紙面の地側端縁領域８ｄに第ニの天側用抽出画像ＹＢ６を、１７枚目の頁用紙８の表側の用紙面の地側端縁領域８ｂに第一の地側用抽出画像ＸＢ２４を裏側の用紙面の地側端縁領域８ｄに第ニの天側用抽出画像ＹＢ７を、１８枚目の頁用紙８の表側の用紙面の地側端縁領域８ｂに第一の地側用抽出画像ＸＢ２３を裏側の用紙面の地側端縁領域８ｄに第ニの天側用抽出画像ＹＢ８を、１９枚目の頁用紙８の表側の用紙面の地側端縁領域８ｂに第一の地側用抽出画像ＸＢ２２を裏側の用紙面の地側端縁領域８ｄに第ニの天側用抽出画像ＹＢ９を、２０枚目の頁用紙８の表側の用紙面の地側端縁領域８ｂに第一の地側用抽出画像ＸＢ２１を裏側の用紙面の地側端縁領域８ｄに第ニの天側用抽出画像ＹＢ１０を、２１枚目の頁用紙８の表側の用紙面の地側端縁領域８ｂに第一の地側用抽出画像ＸＢ２０を裏側の用紙面の地側端縁領域８ｄに第ニの天側用抽出画像ＹＢ１１を、２２枚目の頁用紙８の表側の用紙面の地側端縁領域８ｂに第一の地側用抽出画像ＸＢ１９を裏側の用紙面の地側端縁領域８ｄに第ニの天側用抽出画像ＹＢ１２を、２３枚目の頁用紙８の表側の用紙面の地側端縁領域８ｂに第一の地側用抽出画像ＸＢ１８を裏側の用紙面の地側端縁領域８ｄに第ニの天側用抽出画像ＹＢ１３を、２４枚目の頁用紙８の表側の用紙面の地側端縁領域８ｂに第一の地側用抽出画像ＸＢ１７を裏側の用紙面の地側端縁領域８ｄに第ニの天側用抽出画像ＹＢ１４を、２５枚目の頁用紙８の表側の用紙面の地側端縁領域８ｂに第一の地側用抽出画像ＸＢ１６を裏側の用紙面の地側端縁領域８ｄに第ニの天側用抽出画像ＹＢ１５を、２６枚目の頁用紙８の表側の用紙面の地側端縁領域８ｂに第一の地側用抽出画像ＸＢ１５を裏側の用紙面の地側端縁領域８ｄに第ニの天側用抽出画像ＹＢ１６を、２７枚目の頁用紙８の表側の用紙面の地側端縁領域８ｂに第一の地側用抽出画像ＸＢ１４を裏側の用紙面の地側端縁領域８ｄに第ニの天側用抽出画像ＹＢ１７を、２８枚目の頁用紙８の表側の用紙面の地側端縁領域８ｂに第一の地側用抽出画像ＸＢ１３を裏側の用紙面の地側端縁領域８ｄに第ニの天側用抽出画像ＹＢ１８を、２９枚目の頁用紙８の表側の用紙面の地側端縁領域８ｂに第一の地側用抽出画像ＸＢ１２を裏側の用紙面の地側端縁領域８ｄに第ニの天側用抽出画像ＹＢ１９を、３０枚目の頁用紙８の表側の用紙面の地側端縁領域８ｂに第一の地側用抽出画像ＸＢ１１を裏側の用紙面の地側端縁領域８ｄに第ニの天側用抽出画像ＹＢ２０を、３１枚目の頁用紙８の表側の用紙面の地側端縁領域８ｂに第一の地側用抽出画像ＸＢ１０を裏側の用紙面の地側端縁領域８ｄに第ニの天側用抽出画像ＹＢ２１を、３２枚目の頁用紙８の表側の用紙面の地側端縁領域８ｂに第一の地側用抽出画像ＸＢ９を裏側の用紙面の地側端縁領域８ｄに第ニの天側用抽出画像ＹＢ２２を、３３枚目の頁用紙８の表側の用紙面の地側端縁領域８ｂに第一の地側用抽出画像ＸＢ８を裏側の用紙面の地側端縁領域８ｄに第ニの天側用抽出画像ＹＢ２３を、３４枚目の頁用紙８の表側の用紙面の地側端縁領域８ｂに第一の地側用抽出画像ＸＢ７を裏側の用紙面の地側端縁領域８ｄに第ニの天側用抽出画像ＹＢ２４を、３５枚目の頁用紙８の表側の用紙面の地側端縁領域８ｂに第一の地側用抽出画像ＸＢ６を裏側の用紙面の地側端縁領域８ｄに第ニの天側用抽出画像ＹＢ２５を、３６枚目の頁用紙８の表側の用紙面の地側端縁領域８ｂに第一の地側用抽出画像ＸＢ５を裏側の用紙面の地側端縁領域８ｄに第ニの天側用抽出画像ＹＢ２６を、３７枚目の頁用紙８の表側の用紙面の地側端縁領域８ｂに第一の地側用抽出画像ＸＢ４を裏側の用紙面の地側端縁領域８ｄに第ニの天側用抽出画像ＹＢ２７を、３８枚目の頁用紙８の表側の用紙面の地側端縁領域８ｂに第一の地側用抽出画像ＸＢ３を裏側の用紙面の地側端縁領域８ｄに第ニの天側用抽出画像ＹＢ２８を、３９枚目の頁用紙８の表側の用紙面の地側端縁領域８ｂに第一の地側用抽出画像ＸＢ２を裏側の用紙面の地側端縁領域８ｄに第ニの天側用抽出画像ＹＢ２９を、４０枚目の頁用紙８の表側の用紙面の地側端縁領域８ｂに第一の地側用抽出画像ＸＢ１を裏側の用紙面の地側端縁領域８ｄに第ニの地側用抽出画像ＹＢ３０を配置する。
【００５０】
以上、縷々、本発明の冊子状紙製品を説明してきたが、本発明は、これらの実施形態に拘泥するものではなく、権利範囲内で種々の変形が可能である。
例えば、本発明の冊子状紙製品の実施形態としては、天側の端部２に第一の天側用画像２ａと第二の天側用画像２ｂを切り替えて見えるようにしているが、これは一例であって、第一の天側用画像２ａだけ、或いは第二の天側用画像２ｂだけを現出させる形態であっても構わない。
同様に、地側の端部３に第一の地側用画像３ａと第二の地側用画像３ｂを切り替えて見えるようにしているが、これは一例であって、第一の地側用画像３ａだけ、或いは第二の地側用画像３ｂだけを現出させる形態であっても構わない。
更に、天側の端部２に第一の天側用画像２ａと第二の天側用画像２ｂ、地側の端部３に第一の地側用画像３ａと第二の地側用画像３ｂ、合計４個の画像を天地側の端部にて切り替えて見せることも可能である。
更に、抽出画像は、モノクロ印刷機で印刷すれば白黒画像となるが、カラー印刷機で印刷すれば、端部に見える画像はカラー画像となり、いずれを採用しても構わない。但し、カラー画像の方が、手に取った者に対する訴求力の点で好ましい。
また、本発明の冊子状紙製品は、抽出画像（ＸＡ１、ＸＡ２、ＹＡ１、ＹＡ２、ＸＢ１、ＸＢ２、ＹＢ１、ＹＢ２等）を第一の直線（ＲＡ１、ＲＡ２等）と第二の直線（ＲＺ１、ＲＺ２等）で挟まれた領域を抜き出すものであるが、実施形態では、これらの２本の直線が所定角度（１０度）で交わる放射線状の直線とし抜き出すことで、抽出画像を扇形状としているが、これらの２本の直線を平行とし、抜き出す画像を矩形状としても構わない。但し、矩形状の抽出画像を採用した場合、天側の端部２或いは地側の端部３における広がり方が、背側と小口側で極端に差がつく場合、天側の端部２或いは地側の端部３にて目視できる画像に多少の違和感が生じる可能性がある。
【符号の説明】
【００５１】
１  本発明の実施形態に係る冊子状紙製品
２  冊子状紙製品の天側の端部
３  冊子状紙製品の地側の端部
４  冊子状紙製品の小口側の端部
２ａ  冊子状紙製品の天側の端部に現れる第一の天側用画像
２ｂ  冊子状紙製品の天側の端部に現れる第二の天側用画像
３ａ  冊子状紙製品の地側の端部に現れる第一の地側用画像
３ｂ  冊子状紙製品の地側の端部に現れる第二の地側用画像
５  表表紙
６  背表紙
７  裏表紙
８  頁用紙
８ａ  表側の天側端縁領域
８ｂ  表側の地側端縁領域
８ｃ  裏側の天側端縁領域
８ｄ  裏側の地側端縁領域
ＸＡ  第一の天側用画像の全体図
ＸＡ１  １番目（最初）の第一の天側用抽出画像
ＸＡ２  ２番目の第一の天側用抽出画像
ＸＡ２９  ２９番目の第一の天側用抽出画像
ＸＡ３０  ３０番目（最後）の第一の天側用抽出画像
ＹＡ  第二の天側用画像の全体図
ＹＡ１  １番目（最初）の第二の天側用抽出画像
ＹＡ２  ２番目の第二の天側用抽出画像
ＹＡ２９  ２９番目の第二の天側用抽出画像
ＹＡ３０  ３０番目（最後）の第二の天側用抽出画像
ＸＢ  第一の地側用画像の全体図
ＸＢ１  １番目（最初）の第一の地側用抽出画像
ＸＢ２  ２番目の第一の地側用抽出画像
ＸＢ２９  ２９番目の第一の地側用抽出画像
ＸＢ３０  ３０番目（最後）の第一の地側用抽出画像
ＹＢ  第二の地側用画像の全体図
ＹＢ１  １番目（最初）の第二の地側用抽出画像
ＹＢ２  ２番目の第二の地側用抽出画像
ＹＢ２９  ２９番目の第二の地側用抽出画像
ＹＢ３０  ３０番目（最後）の第二の地側用抽出画像
ＲＡ１，ＲＡ２，ＲＡ２９，ＲＡ３０  第一の直線
ＲＺ１、ＲＺ２、ＲＺ２９、ＲＺ３０  第二の直線
【図１】
2011073203.tif 000003
【図２】
2011073203.tif 000004
【図３】
2011073203.tif 000005
【図４】
2011073203.tif 000006
【図５】
2011073203.tif 000007
【図６】
2011073203.tif 000008
【図７】
2011073203.tif 000009
【図８】
2011073203.tif 000010
【図９】
2011073203.tif 000011
【図１０】
2011073203.tif 000012
【図１１】
2011073203.tif 000013
【図１２】
2011073203.tif 000014
【図１３】
2011073203.tif 000015
【図１４】
2011073203.tif 000016
【図１５】
2011073203.tif 000017
【図１６】
2011073203.tif 000018
【図１７】
2011073203.tif 000019
【図１８】
2011073203.tif 000020